(57)【要約】  本発明はリソースオペレーション方法を開示し、第１リソースの複数オペレーションにコンフリクトが存在する場合、複数オペレーションの実行におけるコンフリクトの調整を実施し、または第１リソースのオペレーションと第１リソースの関連リソースのオペレーションとの間にコンフリクトが存在する場合、第１リソースのオペレーションの実行と第１リソースの関連リソースのオペレーションの実行とにおけるコンフリクトの調整を実施する。第１リソースは、セル、基地局、セルのパラメータ及び基地局のパラメータを含み、第１リソースの関連リソースは、第１リソースとの関係を設定されたリソース、第１リソースと隣接しているリソース及び第１リソースと相互に影響され合うリソースを含む。本発明は、発生可能なオペレーションのコンフリクトをリソースのオペレーション中に適時に検出でき、オペレーションのコンフリクトを回避できる。
2015512593.tif 000002
【特許請求の範囲】
【請求項１】
リソースオペレーション方法であって、
第１のリソースについての複数のオペレーションにおいてコンフリクトが存在する場合、前記複数のオペレーションの実行におけるコンフリクトの調整を実施するステップ、
または、第１のリソースについてのオペレーションと前記第１のリソースの関連リソースについてのオペレーションとの間でコンフリクトが存在する場合、第１のリソースについてのオペレーションの実行と前記第１のリソースの関連リソースについてのオペレーションの実行とにおけるコンフリクトの調整を実施するステップ、を含み、
前記第１のリソースは、セル、基地局、前記セルのパラメータ、および前記基地局のパラメータのうちの１つ以上を含み、
前記第１のリソースの関連リソースは、前記第１のリソースとの関係について設定されたリソース、前記第１のリソースと隣接しているリソース、および前記第１のリソースと相互に影響され合うリソースのうちの１つ以上を含む、方法。
【請求項２】
第１のリソースについての複数のオペレーションにおいてコンフリクトが存在するか否かを判断するステップ、または、第１のリソースについてのオペレーションと前記第１のリソースの関連リソースについてのオペレーションとの間にコンフリクトが存在するか否かを判断するステップをさらに含む、請求項１に記載の方法。
【請求項３】
前記第１のリソースについての複数のオペレーションにおいてコンフリクトが存在するか否かを判断するステップは、
前記第１のリソースについての前記複数のオペレーションの実行時間が同一であるとき、前記第１のリソースについての前記複数のオペレーションにおいてコンフリクトが存在すると判断するステップ、
または、前記第１のリソースについての前記複数のオペレーションの実行時間の間についての間隔が設定されたコンフリクト期間内にあるとき、前記第１のリソースについての前記複数のオペレーションにおいてコンフリクトが存在すると判断するステップ、を含み、
第１のリソースについてのオペレーションと前記第１のリソースの関連リソースについてのオペレーションとの間にコンフリクトが存在するか否かを判断するステップは、
前記第１のリソースについてのオペレーションの実行時間と前記第１のリソースの関連リソースについてのオペレーションの実行時間とが同一であるとき、前記第１のリソースについてのオペレーションと前記第１のリソースの関連リソースについてのオペレーションとの間にコンフリクトが存在すると判断するステップ、
または、前記第１のリソースについてのオペレーションの実行時間と前記第１のリソースの関連リソースについてのオペレーションの実行時間との間についての間隔が設定されたコンフリクト期間内にあるとき、前記第１のリソースについてのオペレーションと前記第１のリソースの関連リソースについてのオペレーションとの間にコンフリクトが存在すると判断するステップ、を含む、請求項２に記載の方法。
【請求項４】
前記複数のオペレーションの実行におけるコンフリクトの調整を実施するステップは、
複数のオペレーションにそれぞれ対応する優先順位にしたがって前記複数のオペレーションの実行を調整するステップを含み、
前記複数のオペレーションの実行を調整するステップは、
前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップとのうちのいずれか１つまたは組合せを含む、請求項３に記載の方法。
【請求項５】
前記複数のオペレーションの実行におけるコンフリクトの調整を実施するステップの前に、
前記複数のオペレーションにそれぞれ対応する前記優先順位を予め設定するステップ、または、前記複数のオペレーションにそれぞれ対応する前記優先順位を取得するステップをさらに含む、請求項４に記載の方法。
【請求項６】
前記第１のリソースについてのオペレーションの実行と前記第１のリソースの関連リソースについてのオペレーションの実行とにおけるコンフリクトの調整を実施するステップは、
第１のリソースについてのオペレーションと前記第１のリソースの関連リソースについてのオペレーションとのそれぞれに対応する優先順位にしたがって、前記第１のリソースについてのオペレーションの実行と前記第１のリソースの関連リソースについてのオペレーションの実行とを調整するステップを含み、
前記第１のリソースについてのオペレーションの実行と前記第１のリソースの関連リソースについてのオペレーションの実行とを調整するステップは、
前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、コンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップとのうちのいずれか１つまたは組合せを含む、請求項３に記載の方法。
【請求項７】
前記第１のリソースについてのオペレーションの実行と前記第１のリソースの関連リソースについてのオペレーションの実行とにおけるコンフリクトの調整を実施するステップの前に、
前記第１のリソースについてのオペレーションと前記第１のリソースの関連リソースについてのオペレーションとにそれぞれ対応する優先順位を予め設定するステップ、
または、前記第１のリソースについてのオペレーションと前記第１のリソースの関連リソースについてのオペレーションとにそれぞれ対応する優先順位を取得するステップをさらに含む、請求項６に記載の方法。
【請求項８】
前記オペレーションは、自己組織ネットワーク（SON）オペレーション、および／または、手動オペレーションを含み、
前記コンフリクトの調整は、複数のSONオペレーション間でのコンフリクトの調整、複数の手動オペレーション間でのコンフリクトの調整、または、SONオペレーションと手動オペレーションとの間でのコンフリクトの調整を含む、請求項１から７のいずれか一項に記載の方法。
【請求項９】
前記設定されたコンフリクト期間は、均一に設定されたコンフリクト期間、前記第１のリソースについてのオペレーションに指定されたコンフリクト期間、前記第１のリソースの関連リソースについてのオペレーションに指定されたコンフリクト期間、および、より小さな値、より大きな値、または、前記第１のリソースについてのオペレーションに指定されたコンフリクト期間と前記第１のリソースの関連リソースについてのオペレーションに指定されたコンフリクト期間との和、のうちのいずれか１つを含む、請求項３から８のいずれか一項に記載の方法。
【請求項１０】
前記第１のリソースがアンテナの偏向であるとき、前記第１のリソースの関連リソースは、前記アンテナの電力および／または前記アンテナの方位を含み、
または、前記第１のリソースがアンテナの電力であるとき、前記第１のリソースの関連リソースは、前記アンテナの偏向および／または前記アンテナの方位を含み、
または、前記第１のリソースがアンテナの方位であるとき、前記第１のリソースの関連リソースは、前記アンテナの電力および／または前記アンテナの偏向を含み、
または、前記第１のリソースがセル個々のオフセット（CIO）であるとき、前記第１のリソースの関連リソースは、セル負荷を含み、
または、前記第１のリソースがセル負荷であるとき、前記第１のリソースの関連リソースは、CIOを含み、
または、前記第１のリソースがセルであるとき、前記第１のリソースの関連リソースは、前記セルの隣接セルを含み、
または、前記第１のリソースが基地局であるとき、前記第１のリソースの関連リソースは、前記基地局の隣接基地局を含み、
または、前記第１のリソースがセルのパラメータであるとき、前記第１のリソースの関連リソースは、前記セルの隣接セルのパラメータを含み、
または、前記第１のリソースが基地局のパラメータであるとき、前記第１のリソースの関連リソースは、前記基地局の隣接基地局のパラメータを含む、請求項１から９のいずれか一項に記載の方法。
【請求項１１】
前記第１のリソースまたは前記第１のリソースの関連リソースが属性情報を有し、
前記属性情報は、
前記第１のリソースを設定または変更するオペレータの情報の記録に使用される、オペレータ属性であって、前記情報は、オペレーション名、タイプ、およびオペレーション優先順位の情報の少なくとも一部を含む、オペレータ属性と、
前記第１のリソースのオペレーション状態を示すことに使用される、状態属性であって、前記オペレーション状態は、変更された状態、コンフリクト状態またはノーマル状態を含む、状態属性と、
関連リソースまたは前記リソースの関連リソースリストについての情報の記録に使用される、関連リソースリスト属性と、
前記リソースのコンフリクトの実効時間期間を示すことに使用される、コンフリクト期間属性と、
前記リソースについてのオペレーションによってオペレートされる他のリソースの記録に使用される、オペレーションリソースリスト属性と、のうちのいずれか１つまたは組合せを含む、請求項１から１０のいずれか一項に記載の方法。
【請求項１２】
前記第１のリソースまたは前記第１のリソースの関連リソースが、
前記リソースが複数のオペレーションにおいてのコンフリクトを発生させるオブジェクトになるとき、前記複数のオペレーションについて調整制御を実施することに使用される、オペレーション調停機能と、
前記リソースの状態属性を設定することに使用される、リソース状態属性設定機能と、のうちの１つ以上のオペレーション機能を含む、請求項１１に記載の方法。
【請求項１３】
リソースオペレーション装置であって、
第１のリソースについての複数のオペレーションにおいてコンフリクトが存在するか否かを判断する、または第１のリソースについてのオペレーションと前記第１のリソースの関連リソースについてのオペレーションとの間にコンフリクトが存在するか否かを判断する、ように構成されている、判断ユニットと、
前記判断ユニットの判断結果が前記第１のリソースについての前記複数のオペレーションにおいてコンフリクトが存在することを示すとき、前記複数のオペレーションの実行におけるコンフリクトの調整を実施する、  または、前記判断ユニットの判断結果が前記第１のリソースについてのオペレーションと前記第１のリソースの関連リソースについてのオペレーションとの間にコンフリクトが存在することを示すとき、前記第１のリソースについてのオペレーションの実行と前記第１のリソースの関連リソースについてのオペレーションの実行とにおけるコンフリクトの調整を実施する、ように構成されている、プロセスユニットと
を備え、
前記第１のリソースは、セル、基地局、前記セルのパラメータ、および前記基地局のパラメータのうちの１つ以上を含み、
前記第１のリソースの関連リソースは、前記第１のリソースとの関係について設定されたリソース、前記第１のリソースと隣接しているリソース、および前記第１のリソースと相互に影響され合うリソースのうちの１つ以上を含む、装置。
【請求項１４】
前記判断ユニットは、
前記第１のリソースについての前記複数のオペレーションの実行時間が同一であるとき、前記第１のリソースについての前記複数のオペレーションにおいてコンフリクトが存在すると判断する、
または、前記第１のリソースについての前記複数のオペレーションの実行時間の間についての間隔が設定されたコンフリクト期間内にあるとき、前記第１のリソースについての前記複数のオペレーションにおいてコンフリクトが存在すると判断する、
または、前記第１のリソースについてのオペレーションの実行時間と前記第１のリソースの関連リソースについてのオペレーションの実行時間とが同一であるとき、前記第１のリソースについてのオペレーションと前記第１のリソースの関連リソースについてのオペレーションとの間にコンフリクトが存在すると判断する、
または、前記第１のリソースについてのオペレーションの実行時間と前記第１のリソースの関連リソースについてのオペレーションの実行時間との間についての間隔が設定されたコンフリクト期間内にあるとき、前記第１のリソースについてのオペレーションと前記第１のリソースの関連リソースについてのオペレーションとの間にコンフリクトが存在すると判断する、
ように、さらに構成されている、請求項１３に記載の装置。
【請求項１５】
前記プロセスユニットは、
前記複数のオペレーションにそれぞれ対応する優先順位にしたがって前記複数のオペレーションの実行を調整する、ようにさらに構成されている、とともに、
前記複数のオペレーションの実行を調整する構成は、
前記複数のオペレーションの実行順序を調整する構成と、前記複数のオペレーションにおいて比較的に低い優先順位を持つオペレーションの実行を禁止する構成と、設定されたコンフリクト期間よりも長いまたは同一であるオペレーションの実行時間の間についての間隔を形成するために、前記複数のオペレーションにおける各オペレーションの実行時間を調整する構成と、のうちのいずれか１つまたは組合せを備える、請求項１４に記載の装置。
【請求項１６】
前記プロセスユニットは、前記複数のオペレーションの実行におけるコンフリクトの調整を実施する前に、前記複数のオペレーションにそれぞれ対応する前記優先順位を予め設定する、または、前記複数のオペレーションにそれぞれ対応する前記優先順位を取得する、ようにさらに構成されている、請求項１５に記載の装置。
【請求項１７】
前記プロセスユニットは、前記第１のリソースについてのオペレーションと前記第１のリソースの関連リソースについてのオペレーションとのそれぞれに対応する優先順位にしたがって、前記第１のリソースについてのオペレーションの実行と前記第１のリソースの関連リソースについてのオペレーションの実行とを調整する、ようにさらに構成されており、
前記第１のリソースについてのオペレーションの実行と前記第１のリソースの関連リソースについてのオペレーションの実行とを調整する構成は、前記第１のリソースについてのオペレーションと前記第１のリソースの関連リソースについてのオペレーションとの実行順序を調整する構成と、前記第１のリソースについてのオペレーションと前記第１のリソースの関連リソースについてのオペレーションとにおける比較的に低い優先順位を持つオペレーションの実行を禁止する構成と、コンフリクト期間よりも長いまたは同一であるオペレーションの実行時間の間についての間隔となるように、前記第１のリソースについてのオペレーションと前記第１のリソースの関連リソースについてのオペレーションとにおける各オペレーションの実行時間を調整する構成と、のうちのいずれか１つまたは組合せを備える、請求項１４に記載の装置。
【請求項１８】
前記プロセスユニットは、
前記第１のリソースについてのオペレーションの実行と前記第１のリソースの関連リソースについてのオペレーションの実行とにおけるコンフリクトの調整を実施する前に、前記第１のリソースについてのオペレーションと前記第１のリソースの関連リソースについてのオペレーションとにそれぞれ対応する優先順位を予め設定する、
または、前記第１のリソースについてのオペレーションと前記第１のリソースの関連リソースについてのオペレーションとにそれぞれ対応する優先順位を取得する、構成をさらに含む、請求項１７に記載の装置。
【請求項１９】
前記オペレーションは、SONオペレーション、および／または、手動オペレーションを含み、
前記コンフリクトの調整は、複数のSONオペレーション間でのコンフリクトの調整、複数の手動オペレーション間でのコンフリクトの調整、または、SONオペレーションと手動オペレーションとの間でのコンフリクトの調整を含む、請求項１３から１８のいずれか一項に記載の方法。
【請求項２０】
前記設定されたコンフリクト期間は、均一に設定されたコンフリクト期間、前記第１のリソースについてのオペレーションに指定されたコンフリクト期間、前記第１のリソースの関連リソースについてのオペレーションに指定されたコンフリクト期間、および、より小さな値、より大きな値、または、前記第１のリソースについてのオペレーションに指定されたコンフリクト期間と前記第１のリソースの関連リソースについてのオペレーションに指定されたコンフリクト期間との和、のうちのいずれか１つを含む、請求項１４から１９のいずれか一項に記載の装置。
【請求項２１】
前記第１のリソースがアンテナの偏向であるとき、前記第１のリソースの関連リソースは、前記アンテナの電力および／または前記アンテナの方位を含み、
または、前記第１のリソースがアンテナの電力であるとき、前記第１のリソースの関連リソースは、前記アンテナの偏向および／または前記アンテナの方位を含み、
または、前記第１のリソースがアンテナの方位であるとき、前記第１のリソースの関連リソースは、前記アンテナの電力および／または前記アンテナの偏向を含み、
または、前記第１のリソースがセル個々のオフセット（CIO）であるとき、前記第１のリソースの関連リソースは、セル負荷を含み、
または、前記第１のリソースがセル負荷であるとき、前記第１のリソースの関連リソースは、CIOを含み、
または、前記第１のリソースがセルであるとき、前記第１のリソースの関連リソースは、前記セルの隣接セルを含み、
または、前記第１のリソースが基地局であるとき、前記第１のリソースの関連リソースは、前記基地局の隣接基地局を含み、
または、前記第１のリソースがセルのパラメータであるとき、前記第１のリソースの関連リソースは、前記セルの隣接セルのパラメータを含み、
または、前記第１のリソースが基地局のパラメータであるとき、前記第１のリソースの関連リソースは、前記基地局の隣接基地局のパラメータを含む、請求項１３から２０のいずれか一項に記載の装置。
【請求項２２】
前記第１のリソースまたは前記第１のリソースの関連リソースが属性情報を有し、
前記属性情報は、
前記リソースを設定または変更するオペレータの情報の記録に使用される、オペレータ属性であって、前記情報は、オペレーション名、タイプ、およびオペレーション優先順位の情報の少なくとも一部を含む、オペレータ属性と、
前記リソースのオペレーション状態を示すことに使用される、状態属性であって、前記オペレーション状態は、変更された状態、コンフリクト状態またはノーマル状態を含む、状態属性と、
関連リソースまたは前記リソースの関連リソースリストについての情報の記録に使用される、関連リソースリスト属性と、
前記リソースのコンフリクトの実効時間期間を示すことに使用される、コンフリクト期間属性と、
前記リソースについてのオペレーションによってオペレートされる他のリソースの記録に使用される、オペレーションリソースリスト属性と、のうちのいずれか１つまたは組合せを含む、請求項１３から２１のいずれか一項に記載の装置。
【請求項２３】
前記第１のリソースまたは前記第１のリソースの関連リソースは、
前記リソースが複数のオペレーションにおいてのコンフリクトを発生させるオブジェクトになるとき、前記複数のオペレーションについて調整制御を実施することに使用される、オペレーション調停機能と、
前記リソースの状態属性を設定することに使用される、リソース状態属性設定機能とのうちの１つ以上のオペレーション機能とを含む、請求項２２に記載の装置。
【発明の詳細な説明】
【技術分野】
【０００１】
本発明は、通信分野に関するものであり、特に、リソースオペレーション方法および装置に関するものである。
【背景技術】
【０００２】
自己組織ネットワーク（Self Organizing Network, SON）は、R8/9/10（リリース8/9/10）の作業期間において第３世代パートナーシッププロジェクト（3GPP）標準化機構によって提起された標準化のための重要な主幹作業であり、ネットワークオペレータについて従来の手動オペレーションを低減するとともにメンテナンス費用を低減するために、回路網解析、配置、最適化およびメンテナンス段階における自動プロセスを、できるだけ、実施するために主に使用される。
【０００３】
しかしながら、SONは、一般に、多数の自動機能を統合するので、これらの自動機能はオペレーティングプロセスで相互にコンフリクトし得ることとなる。
【発明の概要】
【課題を解決するための手段】
【０００４】
一態様において、本発明は、リソースオペレーション方法を提供し、前記方法は、第１のリソースについての複数のオペレーションにおいてコンフリクトが存在する場合、前記複数のオペレーションの実行におけるコンフリクトの調整を実施するステップ、または、第１のリソースについてのオペレーションと前記第１のリソースの関連リソースについてのオペレーションとの間でコンフリクトが存在する場合、第１のリソースについてのオペレーションの実行と前記第１のリソースの関連リソースについてのオペレーションの実行とにおけるコンフリクトの調整を実施するステップ、を含み、前記第１のリソースは、セル、基地局、前記セルのパラメータ、および前記基地局のパラメータのうちの１つ以上を含み、前記第１のリソースの関連リソースは、前記第１のリソースとの関係について設定されたリソース、前記第１のリソースと隣接しているリソース、および前記第１のリソースと相互に影響され合うリソースのうちの１つ以上を含む。
【０００５】
対応して、他の態様において、本発明は、リソースオペレーション装置をさらに提供し、前記装置は、第１のリソースについての複数のオペレーションにおいてコンフリクトが存在するか否かを判断する、または第１のリソースについてのオペレーションと前記第１のリソースの関連リソースについてのオペレーションとの間にコンフリクトが存在するか否かを判断する、ように構成されている、判断ユニットと、前記判断ユニットの判断結果が前記第１のリソースについての前記複数のオペレーションにおいてコンフリクトが存在することを示すとき、前記複数のオペレーションの実行におけるコンフリクトの調整を実施する、または、前記判断ユニットの判断結果が前記第１のリソースについてのオペレーションと前記第１のリソースの関連リソースについてのオペレーションとの間にコンフリクトが存在することを示すとき、前記第１のリソースについてのオペレーションの実行と前記第１のリソースの関連リソースについてのオペレーションの実行とにおけるコンフリクトの調整を実施する、ように構成されている、プロセスユニットとを備え、前記第１のリソースは、セル、基地局、前記セルのパラメータ、および前記基地局のパラメータのうちの１つ以上を含み、前記第１のリソースの関連リソースは、前記第１のリソースとの関係について設定されたリソース、前記第１のリソースと隣接しているリソース、および前記第１のリソースと相互に影響され合うリソースのうちの１つ以上を含む。
【０００６】
本発明の実施形態によって提供された技術的課題解決手段において、第１のリソースについての複数のオペレーションにおいてコンフリクトが存在するか否かを判断することによって、または、第１のリソースについてのオペレーションと前記第１のリソースの関連リソースについてのオペレーションとの間にコンフリクトが存在するか否かを判断することによって、および、本発明の実施形態において、発生可能なオペレーションのコンフリクトが検出された後、前記複数のオペレーションの実行において調整を実施することによって、または前記第１のリソースについてのオペレーションと前記第１のリソースの関連リソースについてのオペレーションとの実行において調整を実施することによって、前記オペレーションにおけるコンフリクトの発生が回避される。
【０００７】
本発明の実施形態における技術的課題解決手段または先行技術をより明確に説明するために、前記実施形態または先行技術を説明するために必要な添付図面について以下に簡素に説明する。明らかに、以下で説明される添付図面は、本発明のいくつかの実施形態を単に示しており、当業者は創作的な行為をすること無くこれらの添付図面に従って他の図面を導き出すことができる。
【図面の簡単な説明】
【０００８】
【図１】本発明によるコンフリクトタイプを示す概略図である。
【図２】本発明によるコンフリクト期間を示す概略図である。
【図３】本発明の第１実施形態によるリソースオペレーション方法の概要を示すフローチャートである。
【図４】本発明の第２実施形態によるリソースオペレーション方法の概要を示すフローチャートである。
【図５】本発明の第３実施形態によるリソースオペレーション方法の概要を示すフローチャートである。
【図６】本発明の第４実施形態によるリソースオペレーション方法の概要を示すフローチャートである。
【図７】本発明の第５実施形態によるリソースオペレーション方法の概要を示すフローチャートである。
【図８】本発明によるリソースの属性情報およびオペレーション機能を示す概要図である。
【図９】本発明によるリソースオペレーション方法を示す概要図である。
【図１０】本発明の実施形態によるリソースオペレーション装置の概要構成図である。
【発明を実施するための形態】
【０００９】
本発明の実施形態における技術的解決手段について、本発明の実施形態についての添付図面を参照して以下で明瞭に且つ完全に説明する。説明される実施形態が、本発明の実施形態のすべてではなく一部にすぎないことは、明白である。創造的努力を伴わずに本発明の実施形態に基づいて当業者によって得られるすべての他の実施形態は、本発明の保護範囲に含まれなければならない。
【００１０】
本発明の実施形態は、リソースオペレーション方法を説明するための一形態としてSONオペレーションに主に使用される。本発明の実施形態で説明されるオペレーションは、SONオペレーションに限定されず、手動オペレーションも可能である、ことが理解できる。多くのSONオペレーションが手動オペレーションを介して実施できる、ことは当業者に知られており、例えば、技術者は、基地局が隣接関係を取得できるように、SONにおける自動隣接関係（Automatic Neighbor cell Relationship, ANR）と同様の機能を達成するためにセルの近隣関係を構成し得る。さらに、本実施形態で説明されるオペレーションは、ANRオペレーションのような、単一のオペレーションでもよく、また、いくつかのオペレーションが組み合わせられたものでもよい。調整オペレーションは、一般に、オペレーション組合せを形成し、前記調整オペレーション組合せにおけるオペレーションは、隣接セルの最適化およびセルの省エネルギー化のような所定の目的を達成するように実行されることができる。例えば、図１におけるオペレーションＡは、事実上、省エネルギー（Energy Saving, ES）オペレーションとANRオペレーションとの組合せであり、図１におけるオペレーションＢは、事実上、セル故障補償（Cell Outage Compensation, COC）オペレーションとANRオペレーションとの組合せであり、図１におけるオペレーションＣは、事実上、ANRオペレーションとカラーリングアルゴリズムオペレーションとの組合せである。本実施形態におけるオペレーションのオブジェクトは「リソース」と呼ばれることができ、前記リソースは、１つ以上の基地局、セル、前記基地局のパラメータ、および前記セルのパラメータであり得る。例えば、オペレーションがあるセルで実行されるとき、リソースはセルであり、オペレーションが基地局で実行されるとき、リソースは基地局であり、オペレーションがセルのパラメータまたは基地局のパラメータで実行されるとき、例えば、セルの両方のパラメータがアンテナの送信電力（Tx Power）パラメータ、略して「空中線電力」、またはアンテナの偏向（Tilt）パラメータとして知られているものであるとき、実行されるオペレーションのリソースは、前記パラメータである。本発明の実施形態は、基本的に、パラメータであるリソースについて説明するが、直接に、または簡素な変形の後に、リソースがセルまたはパラメータである態様に、適用可能であることは明らかである。さらに、送信電力パラメータおよび／または偏向パラメータは、一般に、セルの適用領域を変更することに使用され、送信電力パラメータおよび偏向パラメータは、多くの場合に、COCおよびセル適用範囲最適化（Cell Cover Optimization, CCO）などのオペレーションにおいてもたらせられるパラメータである。
【００１１】
また、本発明の実施形態は関連リソースの概念に係るものであり、本発明の実施形態における関連リソースの概念は、実施例として第１のリソースとみなすことによって以下で説明される。第１のリソースの関連リソースは、第１のリソースとの関係を用いて設定されるリソースと、第１のリソースに隣接しているリソースと、第１のリソースと相互に影響し合うリソースとにおける、１つ以上を含む。
【００１２】
前記関係は、ユーザによって設定され得るものであり、例えば、ユーザは、要求にしたがってセル１とセル２との間の関係を設定することができ、前記セル１およびセル２は関連リソースである。第１のリソースに隣接しているリソースは、ことを主に意味する。第１のリソースがセルであるとき、前記セルの隣接セルが前記セルの関連リソースであり、または、第１のリソースが基地局であるとき、前記基地局の隣接基地局が前記基地局の関連リソースであり、または、第１のリソースがセルのパラメータであるとき、前記セルの隣接セルのパラメータが第１のリソースの関連リソースであり、または、第１のリソースが基地局のパラメータであるとき、前記基地局の隣接基地局のパラメータが第１のリソースの関連リソースである、ことを主に意味する。第１のリソースと相互に影響するリソースは、第１のリソース上のオペレーションに起因して変化する動作範囲、動作時間および動作効果のうちの少なくとも１つの、リソースに及ぶ。例えば、セル１の送信電力パラメータおよび偏向パラメータについて、送信電力パラメータが変更されるとき、偏向パラメータの動作範囲、動作時間または動作効果が変化し得ることとなるので、送信電力および偏向は、相互に影響を及ぼし合うお互いのリソースである。
【００１３】
特に、いくつかの一般的な関連リソースが以下に説明されており、例えば、第１のリソースがアンテナの偏向であるとき、第１のリソースの関連リソースは、アンテナの電力および／またはアンテナの方位を含み、または、第１のリソースがアンテナの電力であるとき、第１のリソースの関連リソースは、アンテナの偏向および／またはアンテナの方位を含み、または、第１のリソースがアンテナの方位であるとき、第１のリソースの関連リソースは、アンテナの電力および／またはアンテナの偏向を含む。
【００１４】
他の実施形態では、第１のリソースがセル個々のオフセット（Cell Individual Offset, CIO）であるとき、第１のリソースの関連リソースは、セル負荷であり、または、第１のリソースがセル負荷であるとき、第１のリソースの関連リソースは、CIOであり、または、第１のリソースがセルであるとき、第１のリソースの関連リソースは、前記セルの隣接セルであり、または、第１のリソースが基地局であるとき、第１のリソースの関連リソースは、前記基地局の隣接基地局であり、または、第１のリソースがセルのパラメータであるとき、第１のリソースの関連リソースは、前記セルの隣接セルのパラメータであり、または、第１のリソースが基地局のパラメータであるとき、第１のリソースの関連リソースは、前記基地局の隣接基地局のパラメータである。
【００１５】
同一または関連リソースで実行される多くのオペレーションがSONにかかわるので、コンフリクトがオペレーション間で発生し得ることとなり、そこで、コンフリクト発生を回避するためにオペレーション実行の調整を実施する必要がある。したがって、本発明の実施形態で言及されるコンフリクトの定義が第１に明確化される必要がある。
【００１６】
図１を参照すると、図１には３つのオペレーションＡ、Ｂ、Ｃが示されている。オペレーションＡは、ESオペレーションとANRオペレーションの組合せであり、オペレーションＢは、COCオペレーションとANRオペレーションの組合せであり、オペレーションＣは、ANRオペレーションとカラーリングアルゴリズムオペレーションの組合せである。図１は、また、２つのタイプのリソースを示している。１つのタイプのリソースは、セル１とセル２とセル３とを含む、複数のセルであり、他方のタイプのリソースは、セル１のパラメータ１１，１２，１３と、セル２のパラメータ２１，２２，２３と、セル３のパラメータ３１，３２を含む、前記複数のセルのパラメータである。図１では、オペレーションＡがパラメータ１２，２２のオペレーションに使用されており、オペレーションＢがパラメータ２１，２２，３１のオペレーションに使用されており、オペレーションＣがパラメータ１３，３１のオペレーションに使用されている。パラメータ１２が送信電力パラメータであるとともにパラメータ２２が偏向パラメータであると仮定して、オペレーションＡがオペレーションESを実行するとき、ESオペレーションはセル１の消費電力を減少させるためにセル１のパラメータ１２を減少させ、パラメータ１２が減少するので、セル１のカバーエリアが減少し、それで、ESオペレーションは、セル１のカバーエリアの減少によって生ずる影響を減少させるためにセル２のカバーエリアを増加させるように、パラメータ２２をさらに増加させる。
【００１７】
いくつかの実施形態では、オペレーションＡおよびオペレーションＢは、パラメータ２２を同時に変更することとしてもよく、その結果、オペレーションＡとオペレーションＢとの間でコンフリクトが発生する。例えば、オペレーションＡはパラメータ２２を増加させることに使用され、オペレーションＢはパラメータ２２を減少させることに使用され、オペレーションＡとオペレーションＢとが同時に実行された場合、パラメータ２２は増加、減少または変化しない、ことになり得る。オペレーションＡおよびオペレーションＢの両方がパラメータ２２の増加または減少に使用された場合でも、オペレーションＡおよびオペレーションＢが同時に実行されたとき、パラメータ２２の増加または減少がオペレーションＡまたはオペレーションＢの目的に適合しない場合があり、前記パラメータ２２の増加または減少は予測できない。したがって、オペレーションＡおよびオペレーションＢが同時にパラメータ２２を変更するときに、コンフリクトが発生し、このコンフリクトの形式は、「同一のリソース（パラメータ２２）について複数のオペレーション（オペレーションＡおよびオペレーションＢ）の実行時間が同時であるとき、前記複数のオペレーションにおいてコンフリクトが存在する」として定義され得る。
【００１８】
いくつかの実施形態では、オペレーションＡおよびオペレーションＢは、同時に、パラメータ１２およびパラメータ１３についてそれぞれ実行され得る。多くの場合、パラメータ１２およびパラメータ１３は、相互に影響され合う。例えば、パラメータ１２はセル１の送信電力であり、パラメータ１３はセル１の偏向パラメータであり、送信電力パラメータおよび／または偏向パラメータの変更は、セル１のアンテナのカバーエリアを変更し得る。したがって、オペレーションＡが省エネを目的としてパラメータ１２を減少させるとき、セル１のカバーエリアは減少し、このケースでは、一般に、オペレーションＡは、セル２のカバーエリアを増加させるためにパラメータ２１をさらに変更するので、カバーエリアの最適化の目的が達成される。しかしながら、このケースにおいて、オペレーションＣがパラメータ１３を変更する場合、セル１のカバーエリアおよび電力が変化し、オペレーションＣがパラメータ１３を増加または減少させることはどうでもよいので、オペレーションＡの所期の目的は達成できず、カバーエリアの最適化の目的は達成できず、このケースでは、オペレーションＡとオペレーションＣとの間でコンフリクトが存在する。このコンフリクト形式は、「関連リソース（パラメータ１２およびパラメータ１３）について複数のオペレーション（オペレーションＡおよびオペレーションＣ）の実行時間が同時であるとき、前記複数のオペレーションにおいてコンフリクトが存在する」として定義し得る。
【００１９】
いくつかの実施形態では、オペレーションＡまたはオペレーションＢは、同時に、同一のパラメータを変更し得る。例えば、最初に、オペレーションＡは、第１の時間でセル２のパラメータ２２を変更し、オペレーションＢは、第２の時間でセル２のパラメータ２２を変更し、第１の時間および第２の時間はオペレーションＡの実効時間よりも短く、前記実効時間は、オペレーションＡがパラメータ２２を変更した後の期間に及び、前記実効時間中にパラメータ２２が他のオペレーションによってさらに変更された場合、オペレーションＡは、所期の目的を達成することができない。前記実効時間は、「コンフリクト期間」として定義されうる。このケースにおけるコンフリクトは、「複数のオペレーション（オペレーションＡおよびオペレーションＢ）の実効時間の間についての間隔がコンフリクト期間よりも短いとき、前記複数のオペレーションにおいてコンフリクトが存在する」として定義され得る。
【００２０】
いくつかの実施形態では、オペレーションＡおよびオペレーションＢは、異なる時間で、関連パラメータを変更し得る。例えば、オペレーションＡは第１の時間でパラメータ１２を変更し、オペレーションＢは第２の時間でパラメータ２２を変更し、パラメータ１２およびパラメータ２２は関連パラメータである。第１の時間と第２の時間との間隔がオペレーションＡのコンフリクト期間を超えていない場合、コンフリクトがオペレーションＡとオペレーションＢとの間に存在する。このコンフリクト形式は、「関連リソース（パラメータ１２およびパラメータ２２）についての複数のオペレーション（オペレーションＡおよびオペレーションＢ）の実効時間の間についての間隔がコンフリクト期間よりも短いとき、前記複数のオペレーションにおいてコンフリクトが存在する」として定義され得る。
【００２１】
本発明の実施形態に係る４つのタイプのコンフリクトが図１を参照して上記で説明されているとともに、定義されている。コンフリクトに係るコンフリクト期間についての幾つかの形式が図２を参照して以下で説明されている。
【００２２】
図２を参照すると、図２における垂直な矢印は時間を示しており、図２におけるセル２およびセル３は隣接セルである。ESオペレーションがセル２において実行されるとき、セル３の偏向パラメータが変更される必要があり、ANRオペレーションがセル２において実行されるとき、セル２の隣接セルリスト（Neighbor Cell List, NCL）パラメータが操作される必要があり、CCOオペレーションがセル２において実行されるとき、セル２の送信電力パラメータが変更される必要がある。CCOオペレーションがセル３において実行されるとき、セル３の偏向パラメータまたは送信電力パラメータが変更される必要があり、しかしながら、ESオペレーションとCCOオペレーションとの間のコンフリクトを避けるために、ESオペレーションの実効時間期間の後に、すなわち、少なくとも時間t2の後に、CCOオペレーションが実行される必要があり、ここで、 (t2-t1)がESオペレーションとCOCオペレーションとのコンフリクト期間であり、また、このタイプのコンフリクト期間は、「同一基地局または同一セルの同一または関連パラメータのコンフリクト期間」と呼ばれる。さらに、図２において、CCOは、セル３の送信電力パラメータを変更し、セル３の送信電力パラメータがセル２の送信電力パラメータに関連するので、少なくとも時間t4の後に、CCOはセル２の送信電力パラメータを変更する必要があり、このケースでは、期間(t4-t2)がCOCオペレーションとCCOオペレーションとのコンフリクト期間であり、また、このタイプのコンフリクト期間は、「異なる基地局またはセルの同一パラメータのコンフリクト期間」と呼ばれる。加えて、図２では、セル３の偏向パラメータおよびセル２の送信電力パラメータがともにセル２およびセル３のカバーエリアに影響し得るので、複数のオペレーションが異なる時間で２つのパラメータについて実行されるとき、コンフリクトが発生し得ることとなり、ここで、期間 (t4-t1)はESオペレーションとCCOオペレーションとのコンフリクト期間であり、また、このオペレーションは、「異なる基地局またはセルの関連パラメータ間のコンフリクト」と呼ばれる。各オペレーションのコンフリクト期間は均一に設定され得る、ことに留意すべきであり、すなわち、全てのオペレーションに対応するコンフリクト期間が同一であり、例えば、Tに設定され、または、コンフリクト期間は異なるオペレーションについてそれぞれ指定され得る、ことに留意すべきであり、例えば、ESオペレーションのコンフリクト期間がT1として指定されるとともに、CCOオペレーションのコンフリクト期間がT2として指定され、複数のオペレーションそれぞれの実行時間の間についての間隔が設定されたコンフリクト期間よりも短いか否かを判断するための比較が実行されたとき、前記設定されたコンフリクト期間は、均一に設定されたコンフリクト期間T、またはESオペレーションについて指定されたコンフリクト期間T1、またはCCOオペレーションについて指定されたコンフリクト期間T2、とみなすことができ、またはより大きな値、より小さな値、またはESオペレーションに指定されたコンフリクト期間T1とCCOオペレーションに指定されたコンフリクト期間T2との和 (T1+T2)、とみなすことができる。
【００２３】
本発明の実施形態において挙げられる幾つかのタイプのコンフリクトの概念およびコンフリクト期間は、図１および図２を参照して本明細書で説明されている。以下では、本発明の実施形態において発生し得るコンフリクトを検出する方法のプロセス、およびリソースのオペレーション中においてコンフリクトの発生を回避する方法のプロセスについて、特に説明する。
【００２４】
本発明の実施形態は、リソースオペレーション方法を提供し、前記方法は第１のリソースについての複数のオペレーションにおいてコンフリクトが存在する場合、前記複数のオペレーションの実行におけるコンフリクトの調整を実施するステップと、または、第１のリソースについてのオペレーションと第１のリソースの関連リソースについてのオペレーションとの間でコンフリクトが存在する場合、第１のリソースについてのオペレーションと第１のリソースの関連リソースについてのオペレーションとの実行におけるコンフリクトの調整を実施するステップと、を含み、前記第１のリソースは、セル、基地局、前記セルのパラメータ、および前記基地局のパラメータのうちの１つ以上を含み、前記第１のリソースの関連リソースは、前記第１のリソースとの関係について設定されたリソース、前記第１のリソースと隣接しているリソース、および前記第１のリソースと相互に影響され合うリソースのうちの１つ以上を含む。
【００２５】
特定の実施形態のプロセッサでは、前記方法は、さらに、第１のリソースについての複数のオペレーションにおいてコンフリクトが存在するか否かを判断するステップ、または、第１のリソースについてのオペレーションと前記第１のリソースの関連リソースについてのオペレーションとの間にコンフリクトが存在するか否かを判断するステップを含む。
【００２６】
第１のリソースについての複数のオペレーションにおいてコンフリクトが存在するか否かを判断する前記ステップは、前記第１のリソースについての前記複数のオペレーションの実効時間が同一であるとき、前記第１のリソースについての前記複数のオペレーションにおいてコンフリクトが存在すると判断するステップ、または、前記第１のリソースについての前記複数のオペレーションの実効時間の間についての間隔が設定されたコンフリクト期間内にあるとき、前記第１のリソースについての前記複数のオペレーションにおいてコンフリクトが存在すると判断するステップ、を含む。
【００２７】
第１のリソースについてのオペレーションと前記第１のリソースの関連リソースについてのオペレーションとの間にコンフリクトが存在するか否かを判断する前記ステップは、前記第１のリソースについてのオペレーションの実行時間と前記第１のリソースの関連リソースについてのオペレーションの実行時間とが同一であるとき、前記第１のリソースについてのオペレーションと前記第１のリソースの関連リソースについてのオペレーションとの間にコンフリクトが存在すると判断するステップ、または、前記第１のリソースについてのオペレーションの実行時間と前記第１のリソースの関連リソースについてのオペレーションの実行時間との間についての間隔が設定されたコンフリクト期間内にあるとき、前記第１のリソースについてのオペレーションと前記第１のリソースの関連リソースについてのオペレーションとの間にコンフリクトが存在すると判断するステップ、を含む。
【００２８】
図３は、本発明の第１実施形態によるリソースオペレーション方法の概要を示すフローチャートであり、前記方法は、下記の処理を含む。
【００２９】
ステップＳ３１：
第１のリソースについての複数のオペレーションにおいてコンフリクトが存在するか否かを判断する、または、第１のリソースについてのオペレーションと前記第１のリソースの関連リソースについてのオペレーションとの間にコンフリクトが存在するか否か判断する。
【００３０】
前記第１のリソースについての前記複数のオペレーションの実効時間が同一であるとき、前記第１のリソースについての前記複数のオペレーションにおいてコンフリクトが存在すると判断し、または、前記第１のリソースについての前記複数のオペレーションの実効時間の間についての間隔が設定されたコンフリクト期間内にあるとき、前記第１のリソースについての前記複数のオペレーションにおいてコンフリクトが存在すると判断し、または、前記第１のリソースについてのオペレーションの実行時間と前記第１のリソースの関連リソースについてのオペレーションの実行時間とが同一であるとき、前記第１のリソースについてのオペレーションと前記第１のリソースの関連リソースについてのオペレーションとの間にコンフリクトが存在すると判断し、または、前記第１のリソースについてのオペレーションの実行時間と前記第１のリソースの関連リソースについてのオペレーションの実行時間との間についての間隔が設定されたコンフリクト期間内にあるとき、前記第１のリソースについてのオペレーションと前記第１のリソースの関連リソースについてのオペレーションとの間にコンフリクトが存在すると判断する。
【００３１】
ステップS31において前記第１のリソースについての複数のオペレーションにおいてコンフリクトが存在すると判断された場合、前記複数のオペレーションの実行におけるコンフリクトの調整を実施し、または、ステップS31において前記第１のリソースについてのオペレーションと前記第１のリソースの関連リソースについてのオペレーションとの間にコンフリクトが存在すると判断された場合、前記第１のリソースについてのオペレーションと前記第１のリソースの関連リソースについてのオペレーションとの実行におけるコンフリクトの調整を実施する。
【００３２】
前記複数のオペレーションの実行におけるコンフリクトの調整の実施、または、前記第１のリソースについてのオペレーションと前記第１のリソースの関連リソースについてのオペレーションとの実行におけるコンフリクトの調整の実施は、主に、上記の４つの発生可能形式のコンフリクトが発生することを回避するために、前記オペレーションの実行順序または実効時間を調整することである。
【００３３】
本実施形態では、第１のリソースについての複数のオペレーションにおいてコンフリクトが存在するか否か、または、第１のリソースについてのオペレーションと第１のリソースの関連リソースについてのオペレーションとの間にコンフリクトが存在するか否か、を判断することによって、発生可能なコンフリクトが検出され、本実施形態では、発生可能なコンフリクトが検出された後、前記複数のオペレーションの実行または前記関連リソースにおけるオペレーションの実行についての調整を実施することによって、同一リソースまたは関連リソースについてのオペレーションにおけるコンフリクトの発生が回避される。
【００３４】
図３に示された実施形態は、さらに図４から図７を参照して説明される。図４から図７は、発生可能なコンフリクトをどのように検出するか、およびコンフリクトの発生をどのように回避するかについての特定実施形態を詳細に示している。
【００３５】
図４は、本発明の第２実施形態によるリソースオペレーション方法の概要を示すフローチャートであり、前記方法は、下記の内容を含む。
【００３６】
ステップＳ４１：
第１のリソースについての複数のオペレーションの実行時間が同一であるか否かを判断し、前記実行時間が同一である場合、前記複数のオペレーションにおいてコンフリクトが存在すると判断し、ステップ４２に進む。
【００３７】
ステップＳ４１において本実施形態を実行するノードは、コンフリクトを調整するために均一に配置されたサーバとすることができ、または基地局、またはセルとすることができ、同時に複数のSON要求を受信することができる。各SON要求は、対応するSON機能を実施するために、同一のリソース（第１のリソース）をオペレーションするようにノードに命令することに使用される。第１のリソースがセルのパラメータまたは基地局のパラメータであるとき、いくつかのSON要求では、ノードは、第１のリソースの値を増加させるように要求されるが、いくつかのSON要求では、ノードは、第１のリソースの値を減少させるように要求される。明らかに、これらのSON要求が同時に実行された場合、第１のリソースが繰り返し変更されるとともに予測不能になり、ネットワーク性能の劣化が生じ得るとともに、ネットワークにおける混乱すら招き得る。したがって、これらのSON要求が同時に同一リソースのオペレーションに使用されることが検出されたとき、これらのSON要求に対応する複数のオペレーション間においてコンフリクトが存在するので、ステップＳ４２からＳ４３で説明されたコンフリクトの調整が実行される必要がある。
【００３８】
ステップＳ４２：
複数のオペレーションにそれぞれ対応する優先順位を取得する。
【００３９】
取得された複数のオペレーションにそれぞれ対応する優先順位は、前記複数のオペレーションについて予め設定されていることとしてもよく、例えば、ネットワーク計画段階において、第１の優先順位がESオペレーションに構成されており、第２の優先順位がCCOに構成されているようにしてもよい。
【００４０】
ステップＳ４３：
複数のオペレーションにそれぞれ対応する優先順位にしたがって前記複数のオペレーションの実行を調整する。
【００４１】
前記複数のオペレーションの実行を調整するステップは、以下の処理のいずれか１つまたは組合せを含む。前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップ。
【００４２】
前記複数のオペレーションの実行順序を調整するステップは、優先順位にしたがってオペレーションを連続して実施することとしてもよい。前記複数のオペレーションにおいて比較的に低い優先順位を持つオペレーションの実行を禁止するステップは、例えば、オペレーションA、オペレーションBおよびオペレーションCが存在するとともに、オペレーションAの優先順位が最も高く、オペレーションBの優先順位が中位であり、オペレーションCの優先順位が最も低くいと仮定した場合、オペレーションAのみが実行でき、３つのオペレーションの中で優先順位がオペレーションAよりも低いオペレーションBおよびオペレーションCの実行が禁止され、または、オペレーションAおよびオペレーションBが実行され、３つのオペレーションの中でオペレーションAおよびオペレーションBの両方よりも優先順位が低いオペレーションCの実行が禁止される。例えば、ESオペレーションが第１の優先順位（最高位）に対応し、COCオペレーションが第２の優先順位に対応し、ESオペレーションおよびCOCオペレーションが同時にセル２の偏向パラメータについて実行される必要があるケースにおいてコンフリクトが存在するとき、ESオペレーションおよびANRオペレーションの優先順位にしたがって、ESオペレーションは優先的に実行され、COCオペレーションは遅延されるかまたは拒否される。また、ESオペレーションがコンフリクト期間に設定される場合、COCオペレーションの実行時間はコンフリクト期間が終了するまで遅延されるべきである、ことに留意するべきである。
【００４３】
本実施形態は、主に、複数のオペレーションが同時に同一のリソースについて実行されるケースにおいてコンフリクトが発生したとき、コンフリクトを回避するために、オペレーション調整方法を実行することにある。
【００４４】
図５は、本発明によるリソースオペレーション方法の第３実施形態の概要を示すフローチャートであり、前記方法は下記の内容を含む。
【００４５】
ステップＳ５１：
第１のリソースについての複数のオペレーションの実効時間の間についての間隔が設定されたコンフリクト期間内にあるか否かを判断し、イエスである場合、コンフリクトが存在すると判断する。
【００４６】
ステップＳ５２：
前記複数のオペレーションにそれぞれ対応する優先順位にしたがって前記複数のオペレーションの実行を調整する。
【００４７】
前記複数のオペレーションにそれぞれ対応する優先順位は、予め設定されていることとしてもよい。さらに、前記複数のオペレーションにそれぞれ対応する優先順位は、ステップS52より前に取得されることとしてもよい。
【００４８】
特に、前記複数のオペレーションの実行を調整するステップは、前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップと、を含む。本実施形態において、前記複数のオペレーションにおける各オペレーションの実行時間は、主に、設定されたコンフリクト期間よりも長いまたは同一であるオペレーションの実行時間の間について間隔を形成するように、調整される。
【００４９】
以下では、複数のオペレーションがESオペレーションおよびCOCオペレーションであり、第１のリソースがセル２の偏向パラメータである、実施例を使用して、本実施形態を説明する。
【００５０】
セル１は、セル２の偏向パラメータを変更するために時間t1でESオペレーションを実行し、ESオペレーションはコンフリクト期間に設定され、コンフリクト期間はT(例えば、３０分または2時間)である。セル２は、セル２の偏向パラメータを変更するために、時間t2（t2とt1との間の差はTよりも小さい）でCOCオペレーションを実行する必要がある。t2とt1との間の差はTよりも小さいので、セル２のCOCオペレーションおよびESオペレーションは相互にコンフリクトし、すなわち、異なる時間での同一リソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。COCオペレーションの優先順位がESオペレーションの優先順位よりも高い場合、セル２は、ESオペレーションの実行に割り込みをかけるとともにCOCオペレーションを実行することができる、ことに留意するべきである。
【００５１】
図６は、本発明によるリソースオペレーション方法の第４実施形態の概要を示すフローチャートであり、前記方法は、下記の内容を含む。
【００５２】
ステップＳ６１：
第１のリソースについてのオペレーションの実行時間と前記第１のリソースの関連リソースについてのオペレーションの実行時間とが同一であるか否かを判断し、前記実行時間が同一である場合、ステップS62を実行する。
【００５３】
ステップＳ６２：
第１のリソースについてのオペレーションと前記第１のリソースの関連リソースについてのオペレーションとのそれぞれに対応する優先順位を取得する。
【００５４】
第１のリソースについてのオペレーションに対応する優先順位と前記第１のリソースの関連リソースについてのオペレーションに対応する優先順位とは、予め設定されていることとしてもよい。
【００５５】
ステップＳ６３：
前記優先順位にしたがって、前記第１のリソースについてのオペレーションの実行と前記第１のリソースの関連リソースについてのオペレーションの実行とを調整する。
【００５６】
特に、前記第１のリソースについてのオペレーションの実行と前記第１のリソースの関連リソースについてのオペレーションの実行とを調整するステップは、以下の処理のいずれか１つまたは組合せを含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【００５７】
図６の実施形態は、図４の実施形態と類似しているとともに、図６の実施形態は同一のリソースに特定されないが、関連リソースに特定される、点で相違している。複数のリソース間の関連性が予め定義されていることとしてもよく、例えば、リソースがセル１の偏向パラメータであるとき、セル１の偏向パラメータの関連リソースは、セル１の送信電力パラメータと、セル２（セル１の隣接セル）の偏向パラメータおよび送信電力パラメータとを含む、と定義される。
【００５８】
図７は、本発明によるリソースオペレーション方法の第５実施形態の概要を示すフローチャートであり、前記方法は、下記の内容を含む。
【００５９】
ステップＳ７１：
第１のリソースについてのオペレーションの実行時間と前記第１のリソースの関連リソースについてのオペレーションの実効時間との間についての間隔が設定されたコンフリクト期間内にあるか否かを判断し、イエスである場合、コンフリクトが存在すると判断し、ステップS72を実行する。
【００６０】
ステップＳ７２：
第１のリソースについてのオペレーションと前記第１のリソースの関連リソースについてのオペレーションとのそれぞれに対応する優先順位にしたがって、前記第１のリソースについてのオペレーションの実行と前記第１のリソースの関連リソースについてのオペレーションの実行とを調整する。
【００６１】
前記第１のリソースについてのオペレーションと前記第１のリソースの関連リソースについてのオペレーションとのそれぞれに対応する優先順位は、予め設定されていることとしてもよい。さらに、前記第１のリソースについてのオペレーションと前記第１のリソースの関連リソースについてのオペレーションとのそれぞれに対応する優先順位は、ステップS72の前に取得されることとしてもよい。
【００６２】
特に、前記第１のリソースについてのオペレーションの実行と前記第１のリソースの関連リソースについてのオペレーションの実行とを調整するステップは、以下の処理のいずれか１つ以上を含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【００６３】
図７の実施形態は、図５の実施形態と同様であるとともに、図７の実施形態は第１のリソースと第１のリソースの関連リソースとに特定される、点で相違している。
【００６４】
以下では、複数のオペレーションがESオペレーションおよびCOCオペレーションであり、第１のリソースがセル１の送信電力パラメータであり、第１のリソースの関連リソースがセル２の偏向パラメータである、実施例を使用して、本実施形態を説明する。
【００６５】
セル１は、セル１の送信電力パラメータを変更するために時間t1でESオペレーションを実行し、ESオペレーションはコンフリクト期間に設定され、コンフリクト期間はT(例えば、３０分または2時間)である。セル２は、セル２の偏向パラメータを変更するために、時間t2（t2とt1との間の差はTよりも小さい）でCOCオペレーションを実行する必要がある。送信電力パラメータと偏向パラメータとは関連リソースであるとともに、t2とt1との間の差はTよりも小さいので、セル２のCOCオペレーションとセル１のESオペレーションとは相互にコンフリクトし、すなわち、異なる時間での関連リソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。しかしながら、COCオペレーションの優先順位がESオペレーションの優先順位よりも高い場合、セル２は、ESオペレーションの実行に割り込みをかけるとともにCOCオペレーションを実行することができる。
【００６６】
図４から図７の実施形態は、本発明のリソースオペレーション方法を説明しており、リソースについてのオペレーションが他のオペレーションとコンフリクトするか否かについてリソースの属性を介して検出するために、リソースの属性がリソースにさらに加えられることとしてもよい。特に、例えば、第１のリソースを挙げると、第１のリソースの属性情報が下記の情報のいずれか１つまたは組合せを含む。
【００６７】
例えば、オペレータ属性は、SON_ID(アイデンティティ)/優先順位として表現され、第１のリソースを設定または変更するオペレータの情報の記録に使用される。前記情報は、オペレーション名、タイプ、およびオペレーション優先順位のような情報の少なくとも一部を含む。例えば、第１のリソースがセル１の送信電力パラメータであり、オペレーションがESオペレーションであり、オペレータ属性の中に記録されるESオペレーションの情報が、ESオペレーションおよび優先順位１（すなわち、最優先）を含む。
【００６８】
例えば、状態(State)属性は、Stateとして表現されるとともに、第１のリソースのオペレーション状態を示すことに使用される。第１のリソースのオペレーション状態は、主に、第１のリソースの現在のオペレーション状態を示すとともに、変更された状態、コンフリクト状態、およびノーマル状態と、を含み、前記「変更された状態」は、第１のリソースが現在、変更されていることを示し、前記「コンフリクト状態」は、第１のリソースが現在、オペレーションのコンフリクト期間内にあり、他のオペレーションがこの期間において第１のリソースを変更できないとともに、少なくとも第１のリソースについての現在のオペレーションよりも低いまたは同一の優先順位を持つオペレーションは第１のリソースを変更できない、ことを示し、前記「ノーマル状態」は、第１のリソースが他のオペレーションによって変更されることができることを示す。
【００６９】
例えば、関連リソースのグループ（Related Resource Group, RRP）属性は、RRPとして表現されるとともに、第１のリソースの関連リソースまたは関連リソースリストに関する情報を記録することに使用され、例えば、第１のリソースがセル１の偏向パラメータであるとき、第１のリソースはセル１の送信電力パラメータとセル２（セル１の隣接セル）の送信電力パラメータとに連関しているとともに、それらのパラメータは、関連リソースであるとともに、以下のように表現することができる。
RRP={セル１の偏向パラメータ、セル１の送信電力パラメータ、セル２の偏向パラメータ、セル２の送信電力パラメータ}
さらに、RRPは、関連セルのグループ(Related Cell Group, RCG)、関連パラメータのグループ(Related parameters Group, RPG)、または関連基地局のグループ(Related eNB Group, ReG)を含み得る。さらに、RPGは、セルの関連パラメータのグループであってもよく、また、基地局の関連パラメータのグループであってもよい。複数の関連リソース間を調整するための基準を提供するように、関連リソースのグループが第１のリソースの特定の関連リソースに帰属することを通じて判断されることができる。例えば、第１のリソースがコンフリクト状態にあるとき、第１のリソースの関連リソースについての他のオペレーションが調整される必要があり、すなわち、調整の実施をされる特定リソースについてのオペレーションを関連リソースリスト属性を通じて理解する必要がある。対応する関連レベルがRRPにおける異なる関連リソースについて記録され得るので、高い関連レベルを有する関連リソースについてのオペレーションは調整プロセスにおいて優先的に調整される。
【００７０】
例えば、コンフリクト期間（Confliction Period, CP）属性は、CPとして表現されるとともに、第１のリソースについてのコンフリクトの実行時間期間を示すことに使用され、すなわち、状態属性はコンフリクト状態であり、前記コンフリクト状態の持続時間を示すことに使用される。コンフリクト状態の持続時間において、第１のリソースについてのオペレーションまたは第１のリソースの関連リソースについてのオペレーションは、できるだけ回避する必要がある、第１のリソースについての現在のオペレーションについてコンフリクトし得ることとなり、第１のリソースについてのオペレーションまたは第１のリソースの関連リソースについてのオペレーションは、第１のリソースについての現在のオペレーションよりも高い優先順位を持たない。
【００７１】
例えば、オペレーションリソース (Operating Resource, OR)リスト属性は、ORとして表現され、第１のリソースについてのオペレーションが実施される他のリソースに関する情報を記録することに使用される。例えば、第１のリソースについての現在のオペレーションがオペレーションAであり、また、オペレーションAが第２のリソースおよび第３のリソースについて実施され、第２のリソースおよび第３のリソースに関する情報がオペレーションリソースリスト属性の中に記録される。オペレーションが複数のリソースについて実施される必要があるとき、発生し得るコンフリクトがオペレーションリソースリスト属性から検出できるように、オペレーションリソースリスト属性は設定される。
【００７２】
また、リソースは、オペレーション機能に対応し得る。オペレーション機能を説明するための実施例として、第１のリソースがまだ使用される。第１のリソースのオペレーション機能は、下記の１つ以上を含む。
【００７３】
例えば、オペレーション調停機能がSON_Arbitor()として表現され、第１のリソースが複数のオペレーションにおいてのコンフリクトを発生させるオブジェクトになるとき、複数のオペレーションについて調整制御を実施することに使用される。例えば、３つのオペレーションA、BおよびCが同時に第１のリソースについて実施されるとき、SON_Arbitor()属性は、オペレーションA、オペレーションBおよびオペレーションCの優先順位にしたがってオペレーションA、オペレーションBおよびオペレーションCの実行順序を制御することができる。３つのオペレーションが同時に第１のリソースについて実施されるので、オペレーションA、オペレーションBおよびオペレーションCの優先順位は、第１のリソースの識別属性から取得することができる。
【００７４】
例えば、オペレーションBがオペレーションA、オペレーションBおよびオペレーションCの中で最優先順位であるとき、SON_Arbitor()は、第１に、オペレーションBによって変更されるように第１のリソースを制御し、オペレーションBの変更有効期間（コンフリクト期間）中、第１のリソースについてオペレーションAおよびオペレーションBからのいかなる変更も拒否する。例えば、リソース状態属性設定機能は、Set_SON_Status()として表現されるとともに、例えば、オペレーションAが第１のリソースを変更する必要があるとき、第１のリソースの状態属性を設定することに使用され、第１に、第１のリソースが変更中であってオペレーションすることができない他のオペレーションを通知するために、オペレーションAが状態設定機能（例えば、Set_Status() function）を介して「変更された状態」に状態属性を設定し、または、状態属性が「コンフリクト状態」であるとき、現在のオペレーションよりも優先順位が高いオペレーションは、設定状態オペレーションを呼び出すことができるとともに、設定状態オペレーションを介して「ノーマル状態」に状態属性を設定し、その結果、第１のリソースについてのオペレーション許可を取得する。
【００７５】
一例として説明および例示するために第１のリソースが主に使用されており、リソースの属性情報およびオペレーション機能は、第１のリソースの関連リソースまたは他のリソースについて明らかに適合している、ことに留意するべきである。属性情報およびオペレーション機能は、要件にしたがって柔軟に選択されることができ、例えば、図８で示されるように、リストの形式で保存され得る。
【００７６】
本発明のリソースオペレーション方法についてのプロセスおよび原理をさらに以下で説明するために、実例が以下で提供される。
【００７７】
図１０を参照すると、オペレーションの複数のタイプであるオペレーションAおよびオペレーションBがセル１およびセル２において実施され得るとともに、SONオペレーショングループとしてみなされる。したがって、
【００７８】
１）オペレーションAが実行されているとき、すなわち、ESオペレーションとANRオペレーションとの組合せが実行されているとき、セル１のパラメータ１１が削減され、パラメータ１１がセル１の送信電力パラメータであり、セル２のパラメータ２２が調整されている間、省電力の目的を達成しながらセル１のカバーエリアを確保するために、パラメータ２１がセル２の偏向パラメータである。
【００７９】
２）オペレーションBが実行されているとき、すなわち、CCOオペレーションとCCOオペレーションとANRオペレーションとの組合せが実行されているとき、オペレーションBがセル２のパラメータ２１および／またはパラメータ２２を調整でき、セルカバーエリア優先の目的を達成するために、パラメータ２２がセル２の送信電力パラメータである。
【００８０】
実行されているオペレーションAとオペレーションBとの間にコンフリクトが存在し得ることとなり、オペレーションAおよびオペレーションBが調整される必要がある、ことが前記１）および２）から理解できる。特定の調整方法が下記のように実施し得る。
【００８１】
３）第１に、関連リソースリストがネットワーク構成要素において定義され、前記ネットワーク構成要素は、セル１およびセル２、またはセル１およびセル２をサービスする基地局を含み、すなわち、特定のパラメータがネットワーク構成要素における関連リソースとして定義され、関連リソースリストが、関連パラメータリスト、例えば、{送信電力、方位、偏向}、{CIO、TTT、Hyst}、および{NCL/NRT、送信電力、方位、偏向}であり得る。ここで、方位は、アンテナの方位を示し、Hystは、セルのヒステリシスパラメータを示し、ＴＴＴは、「トリガとなる時間（Time To Trigger）」すなわちトリガ時間を示しており、NCLは、隣接セルリスト（Neighbor Cell List）すなわち隣接セルのリストを示しており、NRTは、隣接関係表（Neighbor Relationship Table）すなわち隣接関係の表を示している。また、関連リソースは、関連セルリスト、例えば、{セル１、セル２}であり得る。また、関連リソースは、関連基地局リスト、例えば、{eNB1, eNB2}であってもよく、ここで、eNBは、発生基地局（evolved base station）を示す。関連セルまたは基地局は、NCLおよびNRTから直接に収集されることができる。
【００８２】
さらに、関連リソースグループは、関連パラメータリスト、関連セルリストまたは関連基地局リストのみを含むのではなく、複数のセルおよびパラメータ、例えば、{セル１−送信電力、セル１−偏向、セル２−送信電力、セル２−偏向}のいずれかの組合せを含む。
【００８３】
さらに、複数のリソース間の相関関係は、強度によって分類することとしてもよく、関連リソースグループ、例えば、｛（レベル１：セル１−送信電力、セル１−偏向）、（レベル２：セル２−送信電力、セル２−偏向）、（レベル３：セル１、セル２）｝で示されることとしてもよい。
【００８４】
関連リソースグループは、複数のリソース間の関連性を定義し、コンフリクト調整が、それらの間に関係を持つリソースについてのオペレーションで実施され得ることとなり、調整プロセスにおいて、関連性がより強い複数の関連リソース間のコンフリクトが、複数のリソース間の関連性の強度に従って優先的に調整され得ることとなり、例えば、レベル１の関連性強度を持つ複数の関連リソース（セル１−送信電力、セル１−偏向）間のコンフリクトが優先的に調整されるものとする。
【００８５】
４）  ３）で定義されたリソースまたは関連リソースは、１つのコンフリクト期間に対応でき、または、それらのそれぞれは、１つのコンフリクト期間に対応できる。
【００８６】
５）  ESオペレーションがセル１の送信電力パラメータについて実行されているとき、調整が、ESオペレーションと、オペレーションされたセル１の送信電力パラメータの関連リソースについてのオペレーションとの間で実行される必要があり、セル１の送信電力パラメータの関連リソースは、上記関連リソースグループから知得されることができ、セル１の送信電力パラメータの前記関連リソースは、セル２の送信電力パラメータと、偏向パラメータ（セル１の偏向パラメータおよびセル２の偏向パラメータを含む）を含む。
【００８７】
６）  特に、調整がオペレーションの優先順位に従って実施される。例えば、ESオペレーションおよびCCOオペレーションの優先順位が比較され、ESオペレーションの優先順位がCCOオペレーションの優先順位よりも低い場合、セル１のESオペレーションが禁止され、CCOオペレーションが、セル２の送信電力パラメータおよび／または偏向パラメータを調整するように実行される。さらに、CCOオペレーションがコンフリクト期間を持っている場合、CCOオペレーションがセル２の送信電力パラメータおよび／または偏向パラメータを調整した後、ESオペレーションの実行がコンフリクト期間において禁止される。前記コンフリクト期間の後、ESオペレーションがセル１について再び開始され得るとともに、複数のリソースが、ESオペレーションによってオペレーションされるリソースを含んでいるとともに、該リソースの関連リソースがオペレーションされる場合、コンフリクトしないか、またはノーマル状態であり、ESオペレーションが通常に実行されることができる。
【００８８】
オペレーション属性、状態属性、コンフリクト期間属性のような属性情報は、リソースに加えられることができ、また、リソース状態属性設定機能のような、リソースについてのオペレーション機能に対応することができる。
【００８９】
以下では、上記方法の上記プロセスに対応する装置について説明する。
【００９０】
図１０は、本発明によるリソースオペレーション装置９の実施形態の概要構成図であり、リソースオペレーション装置９は、判断ユニット９１およびプロセスユニット９２を備える。本実施形態では、リソースオペレーション装置９の構成について説明する。リソースオペレーション装置９は、上記で説明された方法実施形態における方法を実施することができ、詳細はここでは繰り返さない。
【００９１】
特に、判断ユニット９１は、第１のリソースについての複数のオペレーションにおいてコンフリクトが存在するか否かを判断するように構成されており、または、第１のリソースについてのオペレーションと前記第１のリソースの関連リソースについてのオペレーションとの間にコンフリクトが存在するか否かを判断するように構成されている。
【００９２】
第１のリソースについての複数のオペレーションの実行時間が同時である場合、判断ユニット９１の判断結果は、第１のリソースについての複数のオペレーションにおいてコンフリクトが存在することを示し、または、第１のリソースについての複数のオペレーションの実行時間の間についての間隔が設定されたコンフリクト期間内であるとき、判断ユニット９１の判断結果は、第１のリソースについての複数のオペレーションにおいてコンフリクトが存在することを示し、または、第１のリソースについてのオペレーションの実行時間と前記第１のリソースの関連リソースについてのオペレーションの実行時間とが同時であるとき、判断ユニット９１の判断結果は、第１のリソースについてのオペレーションと前記第１のリソースの関連リソースについてのオペレーションとの間にコンフリクトが存在することを示し、または、第１のリソースについてのオペレーションの実行時間と前記第１のリソースの関連リソースについてのオペレーションの実行時間との間についての間隔が設定されたコンフリクト期間内であるとき、判断ユニット９１の判断結果は、第１のリソースについてのオペレーションと前記第１のリソースの関連リソースについてのオペレーションとの間にコンフリクトが存在することを示す。
【００９３】
プロセスユニット９２は、判断ユニット９１の判断結果が第１のリソースについての複数のオペレーションにおいてコンフリクトが存在することを示すとき、前記複数のオペレーションの実行におけるコンフリクトの調整を実施する、ように構成されており、または、判断ユニット９１の判断結果が第１のリソースについてのオペレーションと前記第１のリソースの関連リソースについてのオペレーションとの間にコンフリクトが存在することを示すとき、第１のリソースについてのオペレーションの実行と前記第１のリソースの関連リソースについてのオペレーションの実行とにおけるコンフリクトの調整を実施する、ように構成されている。
【００９４】
プロセスユニット９２によって実現される、前記複数のオペレーションにおけるコンフリクトの調整、または、第１のリソースについてのオペレーションの実行と前記第１のリソースの関連リソースについてのオペレーションの実行とにおけるコンフリクトの調整は、主に、上記の４つの発生可能な形式のコンフリクトの発生を回避するように、複数のオペレーションの実行順序または実行時間を調整することである。
【００９５】
本実施形態では、第１のリソースについての複数のオペレーションにおいてコンフリクトが存在するか否かを判断することによって、または、第１のリソースについてのオペレーションと前記第１のリソースの関連リソースについてのオペレーションとの間にコンフリクトが存在するか否かを判断することによって、発生可能なコンフリクトを検出することができる。さらに、本実施形態では、発生可能なコンフリクトが検出された後に、複数のオペレーションの実行についての調整、または関連リソースについてのオペレーションの実行についての調整が、同一のリソースまたは関連リソースについてのオペレーション中におけるコンフリクトの発生を回避するために実施される。
【００９６】
オプション実施形態では、判断ユニット９１が、第１リソースについての複数のオペレーションの実行時間が同時であるか否かを判断し、前記実行時間が同時である場合、コンフリクトが存在すると判断する。プロセスユニット９２は、前記複数のオペレーションにそれぞれ対応する優先順位を取得し、前記取得した優先順位に従って前記複数のオペレーションの実行を調整する。
【００９７】
リソースオペレーション装置９は、同時に複数のSON要求を受信することができ、各SON要求は、SON機能に対応する実施をするように、同一のリソース（前記第１のリソース）についてのオペレーションを指示することに使用される。第１のリソースがセルのパラメータまたは基地局のパラメータであるとき、いくつかのSON要求では、前記第１のリソースの値を増加する必要があるが、いくつかのSON要求では、前記第１のリソースの値を減少させる必要がある。明らかに、これらのSON要求が同時に実行された場合、第１のリソースが繰り返し変更されるとともに予測不能になり、ネットワーク性能の劣化が生じ得るとともに、ネットワークにおける混乱すら招き得る。したがって、これらのSON要求が同時に同一リソースのオペレーションに使用されることが検出されたとき、判断ユニット９１の判断結果は、これらのSON要求に対応する複数のオペレーション間においてコンフリクトが存在することを示し、コンフリクトの調整が実行される必要がある。
【００９８】
プロセスユニット９２によって取得された複数のオペレーションにそれぞれ対応する優先順位は、前記複数のオペレーションについて予め設定されており、例えば、ネットワーク計画段階において、第１の優先順位がESオペレーションに構成されており、第２の優先順位がCCOに構成されている。
【００９９】
プロセスユニット９２によって、調整される、複数のオペレーションの実行は、下記のいずれか１つまたは組合せを含む。前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップ。
【０１００】
前記複数のオペレーションの実行順序を調整するステップは、優先順位にしたがってオペレーションを連続して実施することとしてもよい。前記複数のオペレーションにおいて比較的に低い優先順位を持つオペレーションの実行を禁止するステップは、例えば、オペレーションA、オペレーションBおよびオペレーションCが存在するとともに、オペレーションAの優先順位が最も高く、オペレーションBの優先順位が中位であり、オペレーションCの優先順位が最も低くいと仮定した場合、オペレーションAのみが実行でき、３つのオペレーションの中で優先順位がオペレーションAよりも低いオペレーションBおよびオペレーションCの実行が禁止され、または、オペレーションAおよびオペレーションBが実行され、３つのオペレーションの中でオペレーションAおよびオペレーションBの両方よりも優先順位が低いオペレーションCの実行が禁止される。例えば、ESオペレーションが第１の優先順位（最高位）に対応し、COCオペレーションが第２の優先順位に対応し、ESオペレーションおよびCOCオペレーションが同時にセル２の偏向パラメータについて実行される必要があるケースにおいてコンフリクトが存在するとき、ESオペレーションおよびANRオペレーションの優先順位にしたがって、ESオペレーションは優先的に実行され、COCオペレーションは遅延されるかまたは拒否される。また、ESオペレーションがコンフリクト期間に設定される場合、COCオペレーションの実行時間はコンフリクト期間が終了するまで遅延されるべきである、ことに留意するべきである。
【０１０１】
本実施形態は、主に、複数のオペレーションが同時に同一のリソースについて実行されるケースにおいてコンフリクトが発生したとき、コンフリクトを回避するために、オペレーション調整方法を実行することにある。
【０１０２】
他のオプション実施形態の手法では、判断ユニット９１が、第１のリソースについての複数のオペレーションの間についての間隔が設定されたコンフリクト期間内であるか否かを判断し、イエスである場合、コンフリクトが存在すると判断する。プロセスユニット９２は、前記複数のオペレーションそれぞれに対応する優先順位にしたがって前記複数のオペレーションの実行を調整する。
【０１０３】
前記複数のオペレーションにそれぞれ対応する優先順位は予め設定されていることとしてもよく、コンフリクトの調整が実施される前に、プロセスユニット９２は、さらに、前記複数のオペレーションそれぞれに対応する優先順位を取得する。
【０１０４】
特に、プロセスユニット９２による、前記複数のオペレーションの実行を調整するプロセスは、前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップと、を含む。本実施形態において、前記複数のオペレーションにおける各オペレーションの実行時間は、主に、設定されたコンフリクト期間よりも長いまたは同一であるオペレーションの実行時間の間について間隔を形成するように、調整される。
【０１０５】
以下では、複数のオペレーションがESオペレーションおよびCOCオペレーションであり、第１のリソースがセル２の偏向パラメータである、実施例を使用して、本実施形態を説明する。
【０１０６】
セル１は、セル２の偏向パラメータを変更するために時間t1でESオペレーションを実行し、ESオペレーションはコンフリクト期間に設定され、コンフリクト期間はT(例えば、３０分または２時間)である。セル２は、セル２の偏向パラメータを変更するために、時間t2（t2とt1との間の差はTよりも小さい）でCOCオペレーションを実行する必要がある。t2とt1との間の差はTよりも小さいので、セル２のCOCオペレーションおよびESオペレーションは相互にコンフリクトし、すなわち、異なる時間での同一のリソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。COCオペレーションの優先順位がESオペレーションの優先順位よりも高い場合、セル２は、ESオペレーションの実行に割り込みをかけるとともにCOCオペレーションを実行することができる、ことに留意するべきである。
【０１０７】
他のオプション実施形態の手法では、判断ユニット９１が、第１のリソースについてのオペレーションの実行時間と前記第１のリソースの関連リソースについてのオペレーションの実効時間とが同時あるか否かを判断し、イエスである場合、コンフリクトが存在すると判断する。プロセスユニット９２は、前記第１のリソースについてのオペレーションと前記第１のリソースの関連リソースについてのオペレーションとにそれぞれ対応する優先順位を取得する。前記第１のリソースについてのオペレーションに対応する優先順位と前記第１のリソースの関連リソースについてのオペレーションに対応する優先順位とは、予め設定されていることとしてもよい。オプションとして、プロセスユニット９２は、第１のリソースについてのオペレーションの実行と前記第１のリソースの関連リソースについてのオペレーションの実行とを前記優先順位に従って調整するように、さらに構成されているとしてもよい。
【０１０８】
特に、プロセスユニット９２によって、前記第１のリソースについてのオペレーションの実行と前記第１のリソースの関連リソースについてのオペレーションの実行とを調整するプロセスは、以下の処理のいずれか１つ以上を含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【０１０９】
本実施形態は、関連リソースに特定されている。複数のリソース間の関連性が予め定義されていることとしてもよく、例えば、リソースがセル１の偏向パラメータであるとき、セル１の偏向パラメータの関連リソースは、セル１の送信電力パラメータと、セル２（セル１の隣接セル）の偏向パラメータおよび送信電力パラメータとを含む、と定義される。
【０１１０】
他のオプション実施形態の手法では、判断ユニット９１が、第１のリソースについてのオペレーションの実行時間と前記第１のリソースの関連リソースについてのオペレーションの実効時間との間についての間隔が設定されたコンフリクト期間内にあるか否かを判断し、イエスである場合、コンフリクトが存在すると判断する。プロセスユニット９２は、第１のリソースについてのオペレーションと前記第１のリソースの関連リソースについてのオペレーションとのそれぞれに対応する優先順位にしたがって、前記第１のリソースについてのオペレーションの実行と前記第１のリソースの関連リソースについてのオペレーションの実行とを調整する。
【０１１１】
前記第１のリソースについてのオペレーションと前記第１のリソースの関連リソースについてのオペレーションとのそれぞれに対応する優先順位は、予め設定されていることとしてもよく、さらに、前記オペレーションの調整が実施される前に、前記第１のリソースについてのオペレーションと前記第１のリソースの関連リソースについてのオペレーションとのそれぞれに対応する優先順位が取得する、ようにプロセスユニット９２が、さらに構成されていることとしてもよい。
【０１１２】
特に、プロセスユニット９２によって、前記第１のリソースについてのオペレーションの実行と前記第１のリソースの関連リソースについてのオペレーションの実行とを調整するステップは、以下の処理のいずれか１つ以上を含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【０１１３】
以下では、複数のオペレーションがESオペレーションおよびCOCオペレーションであり、第１のリソースがセル１の送信電力パラメータであり、第１のリソースの関連リソースがセル２の偏向パラメータである、実施例を使用して、本実施形態を説明する。
【０１１４】
セル１は、セル１の送信電力パラメータを変更するために時間t1でESオペレーションを実行し、ESオペレーションはコンフリクト期間に設定され、コンフリクト期間はT(例えば、３０分または2時間)である。セル２は、セル２の偏向パラメータを変更するために、時間t2（t2とt1との間の差はTよりも小さい）でCOCオペレーションを実行する必要がある。送信電力パラメータと偏向パラメータとは関連リソースであるとともに、t2とt1との間の差はTよりも小さいので、セル２のCOCオペレーションとセル１のESオペレーションとは相互にコンフリクトし、すなわち、異なる時間での関連リソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。しかしながら、COCオペレーションの優先順位がESオペレーションの優先順位よりも高い場合、セル２は、ESオペレーションの実行に割り込みをかけるとともにCOCオペレーションを実行することができる。
【０１１５】
当業者であれば、上記実施形態における方法についてのプロセスの全部または一部が関連ハードウェアに指示を出すコンピュータプログラムによって実施され得ることを理解するであろう。前記プログラムは、コンピュータ読み取り可能記憶媒体に記録され得る。前記プログラムが実行されるとき、上記実施形態における上記方法のプロセスが実行される。前記記憶媒体は、磁気ディスク、リードオンリーメモリ（ＲＯＭ）またはランダムアクセスメモリ（ＲＡＭ）とすることができる。
【０１１６】
上記の説明は、本発明の単なる例についての実施形態であり、本発明の権利範囲を限定するものではない。上記実施形態についてのプロセスの全部または一部が実施され得るとともに、本発明の特許請求の範囲に従って作成された如何なる等価的変形も本発明の範囲内にあることが当業者は理解することができる。
【符号の説明】
【０１１７】
９  リソースオペレーション装置
１１,１２,１３,２１,２２,２３,３１,３２  パラメータ
９１  判断ユニット
９２  プロセスユニット
Ａ,Ｂ,Ｃ  オペレーション
【図１】
2015512593.tif 000003
【図２】
2015512593.tif 000004
【図３】
2015512593.tif 000005
【図４】
2015512593.tif 000006
【図５】
2015512593.tif 000007
【図６】
2015512593.tif 000008
【図７】
2015512593.tif 000009
【図８】
2015512593.tif 000010
【図９】
2015512593.tif 000011
【図１０】
2015512593.tif 000012
【手続補正書】
【提出日】平成26年10月1日(2014.10.1)
【手続補正１】
【補正対象書類名】明細書
【補正対象項目名】全文
【補正方法】変更
【補正の内容】
【発明の詳細な説明】
【技術分野】
【０００１】
本発明は、通信分野に関するものであり、特に、リソースオペレーション方法および装置に関するものである。
【背景技術】
【０００２】
自己組織ネットワーク（Self Organizing Network, SON）は、R8/9/10（リリース8/9/10）の作業期間において第３世代パートナーシッププロジェクト（3GPP）標準化機構によって提起された標準化のための重要な主幹作業であり、ネットワークオペレータについて従来の手動オペレーションを低減するとともにメンテナンス費用を低減するために、回路網解析、配置、最適化およびメンテナンス段階における自動プロセスを、できるだけ、実施するために主に使用される。
【０００３】
しかしながら、SONは、一般に、多数の自動機能を統合するので、これらの自動機能はオペレーティングプロセスで相互にコンフリクトし得ることとなる。
【発明の概要】
【課題を解決するための手段】
【０００４】
一態様において、本発明は、リソースオペレーション方法を提供し、前記方法は、第１のリソースについての複数のオペレーションにおいてコンフリクトが存在する場合、前記複数のオペレーションの実行におけるコンフリクトの調整を実施するステップ、または、第１のリソースについてのオペレーションと前記第１のリソースの関連リソースについてのオペレーションとの間でコンフリクトが存在する場合、第１のリソースについてのオペレーションの実行と前記第１のリソースの関連リソースについてのオペレーションの実行とにおけるコンフリクトの調整を実施するステップ、を含み、前記第１のリソースは、セル、基地局、前記セルのパラメータ、および前記基地局のパラメータのうちの１つ以上を含み、前記第１のリソースの関連リソースは、前記第１のリソースとの関係について設定されたリソース、前記第１のリソースと隣接しているリソース、および前記第１のリソースと相互に影響され合うリソースのうちの１つ以上を含む。
【０００５】
対応して、他の態様において、本発明は、リソースオペレーション装置をさらに提供し、前記装置は、第１のリソースについての複数のオペレーションにおいてコンフリクトが存在するか否かを判断する、または第１のリソースについてのオペレーションと前記第１のリソースの関連リソースについてのオペレーションとの間にコンフリクトが存在するか否かを判断する、ように構成されている、判断ユニットと、前記判断ユニットの判断結果が前記第１のリソースについての前記複数のオペレーションにおいてコンフリクトが存在することを示すとき、前記複数のオペレーションの実行におけるコンフリクトの調整を実施する、または、前記判断ユニットの判断結果が前記第１のリソースについてのオペレーションと前記第１のリソースの関連リソースについてのオペレーションとの間にコンフリクトが存在することを示すとき、前記第１のリソースについてのオペレーションの実行と前記第１のリソースの関連リソースについてのオペレーションの実行とにおけるコンフリクトの調整を実施する、ように構成されている、プロセスユニットとを備え、前記第１のリソースは、セル、基地局、前記セルのパラメータ、および前記基地局のパラメータのうちの１つ以上を含み、前記第１のリソースの関連リソースは、前記第１のリソースとの関係について設定されたリソース、前記第１のリソースと隣接しているリソース、および前記第１のリソースと相互に影響され合うリソースのうちの１つ以上を含む。
【０００６】
本発明の実施形態によって提供された技術的課題解決手段において、第１のリソースについての複数のオペレーションにおいてコンフリクトが存在するか否かを判断することによって、または、第１のリソースについてのオペレーションと前記第１のリソースの関連リソースについてのオペレーションとの間にコンフリクトが存在するか否かを判断することによって、および、本発明の実施形態において、発生可能なオペレーションのコンフリクトが検出された後、前記複数のオペレーションの実行において調整を実施することによって、または前記第１のリソースについてのオペレーションと前記第１のリソースの関連リソースについてのオペレーションとの実行において調整を実施することによって、前記オペレーションにおけるコンフリクトの発生が回避される。
【０００７】
本発明の実施形態における技術的課題解決手段または先行技術をより明確に説明するために、前記実施形態または先行技術を説明するために必要な添付図面について以下に簡素に説明する。明らかに、以下で説明される添付図面は、本発明のいくつかの実施形態を単に示しており、当業者は創作的な行為をすること無くこれらの添付図面に従って他の図面を導き出すことができる。
【図面の簡単な説明】
【０００８】
【図１】本発明によるコンフリクトタイプを示す概略図である。
【図２】本発明によるコンフリクト期間を示す概略図である。
【図３】本発明の第１実施形態によるリソースオペレーション方法の概要を示すフローチャートである。
【図４】本発明の第２実施形態によるリソースオペレーション方法の概要を示すフローチャートである。
【図５】本発明の第３実施形態によるリソースオペレーション方法の概要を示すフローチャートである。
【図６】本発明の第４実施形態によるリソースオペレーション方法の概要を示すフローチャートである。
【図７】本発明の第５実施形態によるリソースオペレーション方法の概要を示すフローチャートである。
【図８】本発明によるリソースの属性情報およびオペレーション機能を示す概要図である。
【図９】本発明によるリソースオペレーション方法を示す概要図である。
【図１０】本発明の実施形態によるリソースオペレーション装置の概要構成図である。
【発明を実施するための形態】
【０００９】
本発明の実施形態における技術的解決手段について、本発明の実施形態についての添付図面を参照して以下で明瞭に且つ完全に説明する。説明される実施形態が、本発明の実施形態のすべてではなく一部にすぎないことは、明白である。創造的努力を伴わずに本発明の実施形態に基づいて当業者によって得られるすべての他の実施形態は、本発明の保護範囲に含まれなければならない。
【００１０】
本発明の実施形態は、リソースオペレーション方法を説明するための一形態としてSONオペレーションに主に使用される。本発明の実施形態で説明されるオペレーションは、SONオペレーションに限定されず、手動オペレーションも可能である、ことが理解できる。多くのSONオペレーションが手動オペレーションを介して実施できる、ことは当業者に知られており、例えば、技術者は、基地局が隣接関係を取得できるように、SONにおける自動隣接関係（Automatic Neighbor cell Relationship, ANR）と同様の機能を達成するためにセルの近隣関係を構成し得る。さらに、本実施形態で説明されるオペレーションは、ANRオペレーションのような、単一のオペレーションでもよく、また、いくつかのオペレーションが組み合わせられたものでもよい。調整オペレーションは、一般に、オペレーション組合せを形成し、前記調整オペレーション組合せにおけるオペレーションは、隣接セルの最適化およびセルの省エネルギー化のような所定の目的を達成するように実行されることができる。例えば、図１におけるオペレーションＡは、事実上、省エネルギー（Energy Saving, ES）オペレーションとANRオペレーションとの組合せであり、図１におけるオペレーションＢは、事実上、セル故障補償（Cell Outage Compensation, COC）オペレーションとANRオペレーションとの組合せであり、図１におけるオペレーションＣは、事実上、ANRオペレーションとカラーリングアルゴリズムオペレーションとの組合せである。本実施形態におけるオペレーションのオブジェクトは「リソース」と呼ばれることができ、前記リソースは、１つ以上の基地局、セル、前記基地局のパラメータ、および前記セルのパラメータであり得る。例えば、オペレーションがあるセルで実行されるとき、リソースはセルであり、オペレーションが基地局で実行されるとき、リソースは基地局であり、オペレーションがセルのパラメータまたは基地局のパラメータで実行されるとき、例えば、セルの両方のパラメータがアンテナの送信電力（Tx Power）パラメータ、略して「空中線電力」、またはアンテナの偏向（Tilt）パラメータとして知られているものであるとき、実行されるオペレーションのリソースは、前記パラメータである。本発明の実施形態は、基本的に、パラメータであるリソースについて説明するが、直接に、または簡素な変形の後に、リソースがセルまたはパラメータである態様に、適用可能であることは明らかである。さらに、送信電力パラメータおよび／または偏向パラメータは、一般に、セルの適用領域を変更することに使用され、送信電力パラメータおよび偏向パラメータは、多くの場合に、COCおよびセル適用範囲最適化（Cell Cover Optimization, CCO）などのオペレーションにおいてもたらせられるパラメータである。
【００１１】
また、本発明の実施形態は関連リソースの概念に係るものであり、本発明の実施形態における関連リソースの概念は、実施例として第１のリソースとみなすことによって以下で説明される。第１のリソースの関連リソースは、第１のリソースとの関係を用いて設定されるリソースと、第１のリソースに隣接しているリソースと、第１のリソースと相互に影響し合うリソースとにおける、１つ以上を含む。
【００１２】
前記関係は、ユーザによって設定され得るものであり、例えば、ユーザは、要求にしたがってセル１とセル２との間の関係を設定することができ、前記セル１およびセル２は関連リソースである。第１のリソースに隣接しているリソースは、ことを主に意味する。第１のリソースがセルであるとき、前記セルの隣接セルが前記セルの関連リソースであり、または、第１のリソースが基地局であるとき、前記基地局の隣接基地局が前記基地局の関連リソースであり、または、第１のリソースがセルのパラメータであるとき、前記セルの隣接セルのパラメータが第１のリソースの関連リソースであり、または、第１のリソースが基地局のパラメータであるとき、前記基地局の隣接基地局のパラメータが第１のリソースの関連リソースである、ことを主に意味する。第１のリソースと相互に影響するリソースは、第１のリソース上のオペレーションに起因して変化する動作範囲、動作時間および動作効果のうちの少なくとも１つの、リソースに及ぶ。例えば、セル１の送信電力パラメータおよび偏向パラメータについて、送信電力パラメータが変更されるとき、偏向パラメータの動作範囲、動作時間または動作効果が変化し得ることとなるので、送信電力および偏向は、相互に影響を及ぼし合うお互いのリソースである。
【００１３】
特に、いくつかの一般的な関連リソースが以下に説明されており、例えば、第１のリソースがアンテナの偏向であるとき、第１のリソースの関連リソースは、アンテナの電力および／またはアンテナの方位を含み、または、第１のリソースがアンテナの電力であるとき、第１のリソースの関連リソースは、アンテナの偏向および／またはアンテナの方位を含み、または、第１のリソースがアンテナの方位であるとき、第１のリソースの関連リソースは、アンテナの電力および／またはアンテナの偏向を含む。
【００１４】
他の実施形態では、第１のリソースがセル個々のオフセット（Cell Individual Offset, CIO）であるとき、第１のリソースの関連リソースは、セル負荷であり、または、第１のリソースがセル負荷であるとき、第１のリソースの関連リソースは、CIOであり、または、第１のリソースがセルであるとき、第１のリソースの関連リソースは、前記セルの隣接セルであり、または、第１のリソースが基地局であるとき、第１のリソースの関連リソースは、前記基地局の隣接基地局であり、または、第１のリソースがセルのパラメータであるとき、第１のリソースの関連リソースは、前記セルの隣接セルのパラメータであり、または、第１のリソースが基地局のパラメータであるとき、第１のリソースの関連リソースは、前記基地局の隣接基地局のパラメータである。
【００１５】
同一または関連リソースで実行される多くのオペレーションがSONにかかわるので、コンフリクトがオペレーション間で発生し得ることとなり、そこで、コンフリクト発生を回避するためにオペレーション実行の調整を実施する必要がある。したがって、本発明の実施形態で言及されるコンフリクトの定義が第１に明確化される必要がある。
【００１６】
図１を参照すると、図１には３つのオペレーションＡ、Ｂ、Ｃが示されている。オペレーションＡは、ESオペレーションとANRオペレーションの組合せであり、オペレーションＢは、COCオペレーションとANRオペレーションの組合せであり、オペレーションＣは、ANRオペレーションとカラーリングアルゴリズムオペレーションの組合せである。図１は、また、２つのタイプのリソースを示している。１つのタイプのリソースは、セル１とセル２とセル３とを含む、複数のセルであり、他方のタイプのリソースは、セル１のパラメータ１１，１２，１３と、セル２のパラメータ２１，２２，２３と、セル３のパラメータ３１，３２を含む、前記複数のセルのパラメータである。図１では、オペレーションＡがパラメータ１２，２２のオペレーションに使用されており、オペレーションＢがパラメータ２１，２２，３１のオペレーションに使用されており、オペレーションＣがパラメータ１３，３１のオペレーションに使用されている。パラメータ１２が送信電力パラメータであるとともにパラメータ２２が偏向パラメータであると仮定して、オペレーションＡがオペレーションESを実行するとき、ESオペレーションはセル１の消費電力を減少させるためにセル１のパラメータ１２を減少させ、パラメータ１２が減少するので、セル１のカバーエリアが減少し、それで、ESオペレーションは、セル１のカバーエリアの減少によって生ずる影響を減少させるためにセル２のカバーエリアを増加させるように、パラメータ２２をさらに増加させる。
【００１７】
いくつかの実施形態では、オペレーションＡおよびオペレーションＢは、パラメータ２２を同時に変更することとしてもよく、その結果、オペレーションＡとオペレーションＢとの間でコンフリクトが発生する。例えば、オペレーションＡはパラメータ２２を増加させることに使用され、オペレーションＢはパラメータ２２を減少させることに使用され、オペレーションＡとオペレーションＢとが同時に実行された場合、パラメータ２２は増加、減少または変化しない、ことになり得る。オペレーションＡおよびオペレーションＢの両方がパラメータ２２の増加または減少に使用された場合でも、オペレーションＡおよびオペレーションＢが同時に実行されたとき、パラメータ２２の増加または減少がオペレーションＡまたはオペレーションＢの目的に適合しない場合があり、前記パラメータ２２の増加または減少は予測できない。したがって、オペレーションＡおよびオペレーションＢが同時にパラメータ２２を変更するときに、コンフリクトが発生し、このコンフリクトの形式は、「同一のリソース（パラメータ２２）について複数のオペレーション（オペレーションＡおよびオペレーションＢ）の実行時間が同時であるとき、前記複数のオペレーションにおいてコンフリクトが存在する」として定義され得る。
【００１８】
いくつかの実施形態では、オペレーションＡおよびオペレーションＢは、同時に、パラメータ１２およびパラメータ１３についてそれぞれ実行され得る。多くの場合、パラメータ１２およびパラメータ１３は、相互に影響され合う。例えば、パラメータ１２はセル１の送信電力であり、パラメータ１３はセル１の偏向パラメータであり、送信電力パラメータおよび／または偏向パラメータの変更は、セル１のアンテナのカバーエリアを変更し得る。したがって、オペレーションＡが省エネを目的としてパラメータ１２を減少させるとき、セル１のカバーエリアは減少し、このケースでは、一般に、オペレーションＡは、セル２のカバーエリアを増加させるためにパラメータ２１をさらに変更するので、カバーエリアの最適化の目的が達成される。しかしながら、このケースにおいて、オペレーションＣがパラメータ１３を変更する場合、セル１のカバーエリアおよび電力が変化し、オペレーションＣがパラメータ１３を増加または減少させることはどうでもよいので、オペレーションＡの所期の目的は達成できず、カバーエリアの最適化の目的は達成できず、このケースでは、オペレーションＡとオペレーションＣとの間でコンフリクトが存在する。このコンフリクト形式は、「関連リソース（パラメータ１２およびパラメータ１３）について複数のオペレーション（オペレーションＡおよびオペレーションＣ）の実行時間が同時であるとき、前記複数のオペレーションにおいてコンフリクトが存在する」として定義し得る。
【００１９】
いくつかの実施形態では、オペレーションＡまたはオペレーションＢは、同時に、同一のパラメータを変更し得る。例えば、最初に、オペレーションＡは、第１の時間でセル２のパラメータ２２を変更し、オペレーションＢは、第２の時間でセル２のパラメータ２２を変更し、第１の時間および第２の時間はオペレーションＡの実効時間よりも短く、前記実効時間は、オペレーションＡがパラメータ２２を変更した後の期間に及び、前記実効時間中にパラメータ２２が他のオペレーションによってさらに変更された場合、オペレーションＡは、所期の目的を達成することができない。前記実効時間は、「コンフリクト期間」として定義されうる。このケースにおけるコンフリクトは、「複数のオペレーション（オペレーションＡおよびオペレーションＢ）の実効時間の間についての間隔がコンフリクト期間よりも短いとき、前記複数のオペレーションにおいてコンフリクトが存在する」として定義され得る。
【００２０】
いくつかの実施形態では、オペレーションＡおよびオペレーションＢは、異なる時間で、関連パラメータを変更し得る。例えば、オペレーションＡは第１の時間でパラメータ１２を変更し、オペレーションＢは第２の時間でパラメータ２２を変更し、パラメータ１２およびパラメータ２２は関連パラメータである。第１の時間と第２の時間との間隔がオペレーションＡのコンフリクト期間を超えていない場合、コンフリクトがオペレーションＡとオペレーションＢとの間に存在する。このコンフリクト形式は、「関連リソース（パラメータ１２およびパラメータ２２）についての複数のオペレーション（オペレーションＡおよびオペレーションＢ）の実効時間の間についての間隔がコンフリクト期間よりも短いとき、前記複数のオペレーションにおいてコンフリクトが存在する」として定義され得る。
【００２１】
本発明の実施形態に係る４つのタイプのコンフリクトが図１を参照して上記で説明されているとともに、定義されている。コンフリクトに係るコンフリクト期間についての幾つかの形式が図２を参照して以下で説明されている。
【００２２】
図２を参照すると、図２における垂直な矢印は時間を示しており、図２におけるセル２およびセル３は隣接セルである。ESオペレーションがセル２において実行されるとき、セル３の偏向パラメータが変更される必要があり、ANRオペレーションがセル２において実行されるとき、セル２の隣接セルリスト（Neighbor Cell List, NCL）パラメータが操作される必要があり、CCOオペレーションがセル２において実行されるとき、セル２の送信電力パラメータが変更される必要がある。CCOオペレーションがセル３において実行されるとき、セル３の偏向パラメータまたは送信電力パラメータが変更される必要があり、しかしながら、ESオペレーションとCCOオペレーションとの間のコンフリクトを避けるために、ESオペレーションの実効時間期間の後に、すなわち、少なくとも時間t2の後に、CCOオペレーションが実行される必要があり、ここで、 (t2-t1)がESオペレーションとCOCオペレーションとのコンフリクト期間であり、また、このタイプのコンフリクト期間は、「同一基地局または同一セルの同一または関連パラメータのコンフリクト期間」と呼ばれる。さらに、図２において、CCOは、セル３の送信電力パラメータを変更し、セル３の送信電力パラメータがセル２の送信電力パラメータに関連するので、少なくとも時間t4の後に、CCOはセル２の送信電力パラメータを変更する必要があり、このケースでは、期間(t4-t2)がCOCオペレーションとCCOオペレーションとのコンフリクト期間であり、また、このタイプのコンフリクト期間は、「異なる基地局またはセルの同一パラメータのコンフリクト期間」と呼ばれる。加えて、図２では、セル３の偏向パラメータおよびセル２の送信電力パラメータがともにセル２およびセル３のカバーエリアに影響し得るので、複数のオペレーションが異なる時間で２つのパラメータについて実行されるとき、コンフリクトが発生し得ることとなり、ここで、期間 (t4-t1)はESオペレーションとCCOオペレーションとのコンフリクト期間であり、また、このオペレーションは、「異なる基地局またはセルの関連パラメータ間のコンフリクト」と呼ばれる。各オペレーションのコンフリクト期間は均一に設定され得る、ことに留意すべきであり、すなわち、全てのオペレーションに対応するコンフリクト期間が同一であり、例えば、Tに設定され、または、コンフリクト期間は異なるオペレーションについてそれぞれ指定され得る、ことに留意すべきであり、例えば、ESオペレーションのコンフリクト期間がT1として指定されるとともに、CCOオペレーションのコンフリクト期間がT2として指定され、複数のオペレーションそれぞれの実行時間の間についての間隔が設定されたコンフリクト期間よりも短いか否かを判断するための比較が実行されたとき、前記設定されたコンフリクト期間は、均一に設定されたコンフリクト期間T、またはESオペレーションについて指定されたコンフリクト期間T1、またはCCOオペレーションについて指定されたコンフリクト期間T2、とみなすことができ、またはより大きな値、より小さな値、またはESオペレーションに指定されたコンフリクト期間T1とCCOオペレーションに指定されたコンフリクト期間T2との和 (T1+T2)、とみなすことができる。
【００２３】
本発明の実施形態において挙げられる幾つかのタイプのコンフリクトの概念およびコンフリクト期間は、図１および図２を参照して本明細書で説明されている。以下では、本発明の実施形態において発生し得るコンフリクトを検出する方法のプロセス、およびリソースのオペレーション中においてコンフリクトの発生を回避する方法のプロセスについて、特に説明する。
【００２４】
本発明の実施形態は、リソースオペレーション方法を提供し、前記方法は第１のリソースについての複数のオペレーションにおいてコンフリクトが存在する場合、前記複数のオペレーションの実行におけるコンフリクトの調整を実施するステップと、または、第１のリソースについてのオペレーションと第１のリソースの関連リソースについてのオペレーションとの間でコンフリクトが存在する場合、第１のリソースについてのオペレーションと第１のリソースの関連リソースについてのオペレーションとの実行におけるコンフリクトの調整を実施するステップと、を含み、前記第１のリソースは、セル、基地局、前記セルのパラメータ、および前記基地局のパラメータのうちの１つ以上を含み、前記第１のリソースの関連リソースは、前記第１のリソースとの関係について設定されたリソース、前記第１のリソースと隣接しているリソース、および前記第１のリソースと相互に影響され合うリソースのうちの１つ以上を含む。
【００２５】
特定の実施形態のプロセッサでは、前記方法は、さらに、第１のリソースについての複数のオペレーションにおいてコンフリクトが存在するか否かを判断するステップ、または、第１のリソースについてのオペレーションと前記第１のリソースの関連リソースについてのオペレーションとの間にコンフリクトが存在するか否かを判断するステップを含む。
【００２６】
第１のリソースについての複数のオペレーションにおいてコンフリクトが存在するか否かを判断する前記ステップは、前記第１のリソースについての前記複数のオペレーションの実効時間が同一であるとき、前記第１のリソースについての前記複数のオペレーションにおいてコンフリクトが存在すると判断するステップ、または、前記第１のリソースについての前記複数のオペレーションの実効時間の間についての間隔が設定されたコンフリクト期間内にあるとき、前記第１のリソースについての前記複数のオペレーションにおいてコンフリクトが存在すると判断するステップ、を含む。
【００２７】
第１のリソースについてのオペレーションと前記第１のリソースの関連リソースについてのオペレーションとの間にコンフリクトが存在するか否かを判断する前記ステップは、前記第１のリソースについてのオペレーションの実行時間と前記第１のリソースの関連リソースについてのオペレーションの実行時間とが同一であるとき、前記第１のリソースについてのオペレーションと前記第１のリソースの関連リソースについてのオペレーションとの間にコンフリクトが存在すると判断するステップ、または、前記第１のリソースについてのオペレーションの実行時間と前記第１のリソースの関連リソースについてのオペレーションの実行時間との間についての間隔が設定されたコンフリクト期間内にあるとき、前記第１のリソースについてのオペレーションと前記第１のリソースの関連リソースについてのオペレーションとの間にコンフリクトが存在すると判断するステップ、を含む。
【００２８】
図３は、本発明の第１実施形態によるリソースオペレーション方法の概要を示すフローチャートであり、前記方法は、下記の処理を含む。
【００２９】
ステップＳ３１：
第１のリソースについての複数のオペレーションにおいてコンフリクトが存在するか否かを判断する、または、第１のリソースについてのオペレーションと前記第１のリソースの関連リソースについてのオペレーションとの間にコンフリクトが存在するか否か判断する。
【００３０】
前記第１のリソースについての前記複数のオペレーションの実効時間が同一であるとき、前記第１のリソースについての前記複数のオペレーションにおいてコンフリクトが存在すると判断し、または、前記第１のリソースについての前記複数のオペレーションの実効時間の間についての間隔が設定されたコンフリクト期間内にあるとき、前記第１のリソースについての前記複数のオペレーションにおいてコンフリクトが存在すると判断し、または、前記第１のリソースについてのオペレーションの実行時間と前記第１のリソースの関連リソースについてのオペレーションの実行時間とが同一であるとき、前記第１のリソースについてのオペレーションと前記第１のリソースの関連リソースについてのオペレーションとの間にコンフリクトが存在すると判断し、または、前記第１のリソースについてのオペレーションの実行時間と前記第１のリソースの関連リソースについてのオペレーションの実行時間との間についての間隔が設定されたコンフリクト期間内にあるとき、前記第１のリソースについてのオペレーションと前記第１のリソースの関連リソースについてのオペレーションとの間にコンフリクトが存在すると判断する。
【００３１】
ステップS31において前記第１のリソースについての複数のオペレーションにおいてコンフリクトが存在すると判断された場合、前記複数のオペレーションの実行におけるコンフリクトの調整を実施し、または、ステップS31において前記第１のリソースについてのオペレーションと前記第１のリソースの関連リソースについてのオペレーションとの間にコンフリクトが存在すると判断された場合、前記第１のリソースについてのオペレーションと前記第１のリソースの関連リソースについてのオペレーションとの実行におけるコンフリクトの調整を実施する。
【００３２】
前記複数のオペレーションの実行におけるコンフリクトの調整の実施、または、前記第１のリソースについてのオペレーションと前記第１のリソースの関連リソースについてのオペレーションとの実行におけるコンフリクトの調整の実施は、主に、上記の４つの発生可能形式のコンフリクトが発生することを回避するために、前記オペレーションの実行順序または実効時間を調整することである。
【００３３】
本実施形態では、第１のリソースについての複数のオペレーションにおいてコンフリクトが存在するか否か、または、第１のリソースについてのオペレーションと第１のリソースの関連リソースについてのオペレーションとの間にコンフリクトが存在するか否か、を判断することによって、発生可能なコンフリクトが検出され、本実施形態では、発生可能なコンフリクトが検出された後、前記複数のオペレーションの実行または前記関連リソースにおけるオペレーションの実行についての調整を実施することによって、同一リソースまたは関連リソースについてのオペレーションにおけるコンフリクトの発生が回避される。
【００３４】
図３に示された実施形態は、さらに図４から図７を参照して説明される。図４から図７は、発生可能なコンフリクトをどのように検出するか、およびコンフリクトの発生をどのように回避するかについての特定実施形態を詳細に示している。
【００３５】
図４は、本発明の第２実施形態によるリソースオペレーション方法の概要を示すフローチャートであり、前記方法は、下記の内容を含む。
【００３６】
ステップＳ４１：
第１のリソースについての複数のオペレーションの実行時間が同一であるか否かを判断し、前記実行時間が同一である場合、前記複数のオペレーションにおいてコンフリクトが存在すると判断し、ステップＳ４２に進む。
【００３７】
ステップＳ４１において本実施形態を実行するノードは、コンフリクトを調整するために均一に配置されたサーバとすることができ、または基地局、またはセルとすることができ、同時に複数のSON要求を受信することができる。各SON要求は、対応するSON機能を実施するために、同一のリソース（第１のリソース）をオペレーションするようにノードに命令することに使用される。第１のリソースがセルのパラメータまたは基地局のパラメータであるとき、いくつかのSON要求では、ノードは、第１のリソースの値を増加させるように要求されるが、いくつかのSON要求では、ノードは、第１のリソースの値を減少させるように要求される。明らかに、これらのSON要求が同時に実行された場合、第１のリソースが繰り返し変更されるとともに予測不能になり、ネットワーク性能の劣化が生じ得るとともに、ネットワークにおける混乱すら招き得る。したがって、これらのSON要求が同時に同一リソースのオペレーションに使用されることが検出されたとき、これらのSON要求に対応する複数のオペレーション間においてコンフリクトが存在するので、ステップＳ４２からＳ４３で説明されたコンフリクトの調整が実行される必要がある。
【００３８】
ステップＳ４２：
複数のオペレーションにそれぞれ対応する優先順位を取得する。
【００３９】
取得された複数のオペレーションにそれぞれ対応する優先順位は、前記複数のオペレーションについて予め設定されていることとしてもよく、例えば、ネットワーク計画段階において、第１の優先順位がESオペレーションに構成されており、第２の優先順位がCCOに構成されているようにしてもよい。
【００４０】
ステップＳ４３：
複数のオペレーションにそれぞれ対応する優先順位にしたがって前記複数のオペレーションの実行を調整する。
【００４１】
前記複数のオペレーションの実行を調整するステップは、以下の処理のいずれか１つまたは組合せを含む。前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップ。
【００４２】
前記複数のオペレーションの実行順序を調整するステップは、優先順位にしたがってオペレーションを連続して実施することとしてもよい。前記複数のオペレーションにおいて比較的に低い優先順位を持つオペレーションの実行を禁止するステップは、例えば、オペレーションA、オペレーションBおよびオペレーションCが存在するとともに、オペレーションAの優先順位が最も高く、オペレーションBの優先順位が中位であり、オペレーションCの優先順位が最も低くいと仮定した場合、オペレーションAのみが実行でき、３つのオペレーションの中で優先順位がオペレーションAよりも低いオペレーションBおよびオペレーションCの実行が禁止され、または、オペレーションAおよびオペレーションBが実行され、３つのオペレーションの中でオペレーションAおよびオペレーションBの両方よりも優先順位が低いオペレーションCの実行が禁止される。例えば、ESオペレーションが第１の優先順位（最高位）に対応し、COCオペレーションが第２の優先順位に対応し、ESオペレーションおよびCOCオペレーションが同時にセル２の偏向パラメータについて実行される必要があるケースにおいてコンフリクトが存在するとき、ESオペレーションおよびANRオペレーションの優先順位にしたがって、ESオペレーションは優先的に実行され、COCオペレーションは遅延されるかまたは拒否される。また、ESオペレーションがコンフリクト期間に設定される場合、COCオペレーションの実行時間はコンフリクト期間が終了するまで遅延されるべきである、ことに留意するべきである。
【００４３】
本実施形態は、主に、複数のオペレーションが同時に同一のリソースについて実行されるケースにおいてコンフリクトが発生したとき、コンフリクトを回避するために、オペレーション調整方法を実行することにある。
【００４４】
図５は、本発明によるリソースオペレーション方法の第３実施形態の概要を示すフローチャートであり、前記方法は下記の内容を含む。
【００４５】
ステップＳ５１：
第１のリソースについての複数のオペレーションの実効時間の間についての間隔が設定されたコンフリクト期間内にあるか否かを判断し、イエスである場合、コンフリクトが存在すると判断する。
【００４６】
ステップＳ５２：
前記複数のオペレーションにそれぞれ対応する優先順位にしたがって前記複数のオペレーションの実行を調整する。
【００４７】
前記複数のオペレーションにそれぞれ対応する優先順位は、予め設定されていることとしてもよい。さらに、前記複数のオペレーションにそれぞれ対応する優先順位は、ステップS52より前に取得されることとしてもよい。
【００４８】
特に、前記複数のオペレーションの実行を調整するステップは、前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップと、を含む。本実施形態において、前記複数のオペレーションにおける各オペレーションの実行時間は、主に、設定されたコンフリクト期間よりも長いまたは同一であるオペレーションの実行時間の間について間隔を形成するように、調整される。
【００４９】
以下では、複数のオペレーションがESオペレーションおよびCOCオペレーションであり、第１のリソースがセル２の偏向パラメータである、実施例を使用して、本実施形態を説明する。
【００５０】
セル１は、セル２の偏向パラメータを変更するために時間t1でESオペレーションを実行し、ESオペレーションはコンフリクト期間に設定され、コンフリクト期間はT(例えば、３０分または2時間)である。セル２は、セル２の偏向パラメータを変更するために、時間t2（t2とt1との間の差はTよりも小さい）でCOCオペレーションを実行する必要がある。t2とt1との間の差はTよりも小さいので、セル２のCOCオペレーションおよびESオペレーションは相互にコンフリクトし、すなわち、異なる時間での同一リソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。COCオペレーションの優先順位がESオペレーションの優先順位よりも高い場合、セル２は、ESオペレーションの実行に割り込みをかけるとともにCOCオペレーションを実行することができる、ことに留意するべきである。
【００５１】
図６は、本発明によるリソースオペレーション方法の第４実施形態の概要を示すフローチャートであり、前記方法は、下記の内容を含む。
【００５２】
ステップＳ６１：
第１のリソースについてのオペレーションの実行時間と前記第１のリソースの関連リソースについてのオペレーションの実行時間とが同一であるか否かを判断し、前記実行時間が同一である場合、ステップS62を実行する。
【００５３】
ステップＳ６２：
第１のリソースについてのオペレーションと前記第１のリソースの関連リソースについてのオペレーションとのそれぞれに対応する優先順位を取得する。
【００５４】
第１のリソースについてのオペレーションに対応する優先順位と前記第１のリソースの関連リソースについてのオペレーションに対応する優先順位とは、予め設定されていることとしてもよい。
【００５５】
ステップＳ６３：
前記優先順位にしたがって、前記第１のリソースについてのオペレーションの実行と前記第１のリソースの関連リソースについてのオペレーションの実行とを調整する。
【００５６】
特に、前記第１のリソースについてのオペレーションの実行と前記第１のリソースの関連リソースについてのオペレーションの実行とを調整するステップは、以下の処理のいずれか１つまたは組合せを含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【００５７】
図６の実施形態は、図４の実施形態と類似しているとともに、図６の実施形態は同一のリソースに特定されないが、関連リソースに特定される、点で相違している。複数のリソース間の関連性が予め定義されていることとしてもよく、例えば、リソースがセル１の偏向パラメータであるとき、セル１の偏向パラメータの関連リソースは、セル１の送信電力パラメータと、セル２（セル１の隣接セル）の偏向パラメータおよび送信電力パラメータとを含む、と定義される。
【００５８】
図７は、本発明によるリソースオペレーション方法の第５実施形態の概要を示すフローチャートであり、前記方法は、下記の内容を含む。
【００５９】
ステップＳ７１：
第１のリソースについてのオペレーションの実行時間と前記第１のリソースの関連リソースについてのオペレーションの実効時間との間についての間隔が設定されたコンフリクト期間内にあるか否かを判断し、イエスである場合、コンフリクトが存在すると判断し、ステップS72を実行する。
【００６０】
ステップＳ７２：
第１のリソースについてのオペレーションと前記第１のリソースの関連リソースについてのオペレーションとのそれぞれに対応する優先順位にしたがって、前記第１のリソースについてのオペレーションの実行と前記第１のリソースの関連リソースについてのオペレーションの実行とを調整する。
【００６１】
前記第１のリソースについてのオペレーションと前記第１のリソースの関連リソースについてのオペレーションとのそれぞれに対応する優先順位は、予め設定されていることとしてもよい。さらに、前記第１のリソースについてのオペレーションと前記第１のリソースの関連リソースについてのオペレーションとのそれぞれに対応する優先順位は、ステップS72の前に取得されることとしてもよい。
【００６２】
特に、前記第１のリソースについてのオペレーションの実行と前記第１のリソースの関連リソースについてのオペレーションの実行とを調整するステップは、以下の処理のいずれか１つ以上を含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【００６３】
図７の実施形態は、図５の実施形態と同様であるとともに、図７の実施形態は第１のリソースと第１のリソースの関連リソースとに特定される、点で相違している。
【００６４】
以下では、複数のオペレーションがESオペレーションおよびCOCオペレーションであり、第１のリソースがセル１の送信電力パラメータであり、第１のリソースの関連リソースがセル２の偏向パラメータである、実施例を使用して、本実施形態を説明する。
【００６５】
セル１は、セル１の送信電力パラメータを変更するために時間t1でESオペレーションを実行し、ESオペレーションはコンフリクト期間に設定され、コンフリクト期間はT(例えば、３０分または2時間)である。セル２は、セル２の偏向パラメータを変更するために、時間t2（t2とt1との間の差はTよりも小さい）でCOCオペレーションを実行する必要がある。送信電力パラメータと偏向パラメータとは関連リソースであるとともに、t2とt1との間の差はTよりも小さいので、セル２のCOCオペレーションとセル１のESオペレーションとは相互にコンフリクトし、すなわち、異なる時間での関連リソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。しかしながら、COCオペレーションの優先順位がESオペレーションの優先順位よりも高い場合、セル２は、ESオペレーションの実行に割り込みをかけるとともにCOCオペレーションを実行することができる。
【００６６】
図４から図７の実施形態は、本発明のリソースオペレーション方法を説明しており、リソースについてのオペレーションが他のオペレーションとコンフリクトするか否かについてリソースの属性を介して検出するために、リソースの属性がリソースにさらに加えられることとしてもよい。特に、例えば、第１のリソースを挙げると、第１のリソースの属性情報が下記の情報のいずれか１つまたは組合せを含む。
【００６７】
例えば、オペレータ属性は、SON_ID(アイデンティティ)/優先順位として表現され、第１のリソースを設定または変更するオペレータの情報の記録に使用される。前記情報は、オペレーション名、タイプ、およびオペレーション優先順位のような情報の少なくとも一部を含む。例えば、第１のリソースがセル１の送信電力パラメータであり、オペレーションがESオペレーションであり、オペレータ属性の中に記録されるESオペレーションの情報が、ESオペレーションおよび優先順位１（すなわち、最優先）を含む。
【００６８】
例えば、状態(State)属性は、Stateとして表現されるとともに、第１のリソースのオペレーション状態を示すことに使用される。第１のリソースのオペレーション状態は、主に、第１のリソースの現在のオペレーション状態を示すとともに、変更された状態、コンフリクト状態、およびノーマル状態と、を含み、前記「変更された状態」は、第１のリソースが現在、変更されていることを示し、前記「コンフリクト状態」は、第１のリソースが現在、オペレーションのコンフリクト期間内にあり、他のオペレーションがこの期間において第１のリソースを変更できないとともに、少なくとも第１のリソースについての現在のオペレーションよりも低いまたは同一の優先順位を持つオペレーションは第１のリソースを変更できない、ことを示し、前記「ノーマル状態」は、第１のリソースが他のオペレーションによって変更されることができることを示す。
【００６９】
例えば、関連リソースのグループ（Related Resource Group, RRP）属性は、RRPとして表現されるとともに、第１のリソースの関連リソースまたは関連リソースリストに関する情報を記録することに使用され、例えば、第１のリソースがセル１の偏向パラメータであるとき、第１のリソースはセル１の送信電力パラメータとセル２（セル１の隣接セル）の送信電力パラメータとに連関しているとともに、それらのパラメータは、関連リソースであるとともに、以下のように表現することができる。
RRP={セル１の偏向パラメータ、セル１の送信電力パラメータ、セル２の偏向パラメータ、セル２の送信電力パラメータ}
さらに、RRPは、関連セルのグループ(Related Cell Group, RCG)、関連パラメータのグループ(Related parameters Group, RPG)、または関連基地局のグループ(Related eNB Group, ReG)を含み得る。さらに、RPGは、セルの関連パラメータのグループであってもよく、また、基地局の関連パラメータのグループであってもよい。複数の関連リソース間を調整するための基準を提供するように、関連リソースのグループが第１のリソースの特定の関連リソースに帰属することを通じて判断されることができる。例えば、第１のリソースがコンフリクト状態にあるとき、第１のリソースの関連リソースについての他のオペレーションが調整される必要があり、すなわち、調整の実施をされる特定リソースについてのオペレーションを関連リソースリスト属性を通じて理解する必要がある。対応する関連レベルがRRPにおける異なる関連リソースについて記録され得るので、高い関連レベルを有する関連リソースについてのオペレーションは調整プロセスにおいて優先的に調整される。
【００７０】
例えば、コンフリクト期間（Confliction Period, CP）属性は、CPとして表現されるとともに、第１のリソースについてのコンフリクトの実行時間期間を示すことに使用され、すなわち、状態属性はコンフリクト状態であり、前記コンフリクト状態の持続時間を示すことに使用される。コンフリクト状態の持続時間において、第１のリソースについてのオペレーションまたは第１のリソースの関連リソースについてのオペレーションは、できるだけ回避する必要がある、第１のリソースについての現在のオペレーションについてコンフリクトし得ることとなり、第１のリソースについてのオペレーションまたは第１のリソースの関連リソースについてのオペレーションは、第１のリソースについての現在のオペレーションよりも高い優先順位を持たない。
【００７１】
例えば、オペレーションリソース (Operating Resource, OR)リスト属性は、ORとして表現され、第１のリソースについてのオペレーションが実施される他のリソースに関する情報を記録することに使用される。例えば、第１のリソースについての現在のオペレーションがオペレーションAであり、また、オペレーションAが第２のリソースおよび第３のリソースについて実施され、第２のリソースおよび第３のリソースに関する情報がオペレーションリソースリスト属性の中に記録される。オペレーションが複数のリソースについて実施される必要があるとき、発生し得るコンフリクトがオペレーションリソースリスト属性から検出できるように、オペレーションリソースリスト属性は設定される。
【００７２】
また、リソースは、オペレーション機能に対応し得る。オペレーション機能を説明するための実施例として、第１のリソースがまだ使用される。第１のリソースのオペレーション機能は、下記の１つ以上を含む。
【００７３】
例えば、オペレーション調停機能がSON_Arbitor()として表現され、第１のリソースが複数のオペレーションにおいてのコンフリクトを発生させるオブジェクトになるとき、複数のオペレーションについて調整制御を実施することに使用される。例えば、３つのオペレーションA、BおよびCが同時に第１のリソースについて実施されるとき、SON_Arbitor()属性は、オペレーションA、オペレーションBおよびオペレーションCの優先順位にしたがってオペレーションA、オペレーションBおよびオペレーションCの実行順序を制御することができる。３つのオペレーションが同時に第１のリソースについて実施されるので、オペレーションA、オペレーションBおよびオペレーションCの優先順位は、第１のリソースの識別属性から取得することができる。
【００７４】
例えば、オペレーションBがオペレーションA、オペレーションBおよびオペレーションCの中で最優先順位であるとき、SON_Arbitor()は、第１に、オペレーションBによって変更されるように第１のリソースを制御し、オペレーションBの変更有効期間（コンフリクト期間）中、第１のリソースについてオペレーションAおよびオペレーションBからのいかなる変更も拒否する。例えば、リソース状態属性設定機能は、Set_SON_Status()として表現されるとともに、例えば、オペレーションAが第１のリソースを変更する必要があるとき、第１のリソースの状態属性を設定することに使用され、第１に、第１のリソースが変更中であってオペレーションすることができない他のオペレーションを通知するために、オペレーションAが状態設定機能（例えば、Set_Status() function）を介して「変更された状態」に状態属性を設定し、または、状態属性が「コンフリクト状態」であるとき、現在のオペレーションよりも優先順位が高いオペレーションは、設定状態オペレーションを呼び出すことができるとともに、設定状態オペレーションを介して「ノーマル状態」に状態属性を設定し、その結果、第１のリソースについてのオペレーション許可を取得する。
【００７５】
一例として説明および例示するために第１のリソースが主に使用されており、リソースの属性情報およびオペレーション機能は、第１のリソースの関連リソースまたは他のリソースについて明らかに適合している、ことに留意するべきである。属性情報およびオペレーション機能は、要件にしたがって柔軟に選択されることができ、例えば、図８で示されるように、リストの形式で保存され得る。
【００７６】
本発明のリソースオペレーション方法についてのプロセスおよび原理をさらに以下で説明するために、実例が以下で提供される。
【００７７】
図１０を参照すると、オペレーションの複数のタイプであるオペレーションAおよびオペレーションBがセル１およびセル２において実施され得るとともに、SONオペレーショングループとしてみなされる。したがって、
【００７８】
１）オペレーションAが実行されているとき、すなわち、ESオペレーションとANRオペレーションとの組合せが実行されているとき、セル１のパラメータ１１が削減され、パラメータ１１がセル１の送信電力パラメータであり、セル２のパラメータ２２が調整されている間、省電力の目的を達成しながらセル１のカバーエリアを確保するために、パラメータ２１がセル２の偏向パラメータである。
【００７９】
２）オペレーションBが実行されているとき、すなわち、CCOオペレーションとCCOオペレーションとANRオペレーションとの組合せが実行されているとき、オペレーションBがセル２のパラメータ２１および／またはパラメータ２２を調整でき、セルカバーエリア優先の目的を達成するために、パラメータ２２がセル２の送信電力パラメータである。
【００８０】
実行されているオペレーションAとオペレーションBとの間にコンフリクトが存在し得ることとなり、オペレーションAおよびオペレーションBが調整される必要がある、ことが前記１）および２）から理解できる。特定の調整方法が下記のように実施し得る。
【００８１】
３）第１に、関連リソースリストがネットワーク構成要素において定義され、前記ネットワーク構成要素は、セル１およびセル２、またはセル１およびセル２をサービスする基地局を含み、すなわち、特定のパラメータがネットワーク構成要素における関連リソースとして定義され、関連リソースリストが、関連パラメータリスト、例えば、{送信電力、方位、偏向}、{CIO、TTT、Hyst}、および{NCL/NRT、送信電力、方位、偏向}であり得る。ここで、方位は、アンテナの方位を示し、Hystは、セルのヒステリシスパラメータを示し、ＴＴＴは、「トリガとなる時間（Time To Trigger）」すなわちトリガ時間を示しており、NCLは、隣接セルリスト（Neighbor Cell List）すなわち隣接セルのリストを示しており、NRTは、隣接関係表（Neighbor Relationship Table）すなわち隣接関係の表を示している。また、関連リソースは、関連セルリスト、例えば、{セル１、セル２}であり得る。また、関連リソースは、関連基地局リスト、例えば、{eNB1, eNB2}であってもよく、ここで、eNBは、発生基地局（evolved base station）を示す。関連セルまたは基地局は、NCLおよびNRTから直接に収集されることができる。
【００８２】
さらに、関連リソースグループは、関連パラメータリスト、関連セルリストまたは関連基地局リストのみを含むのではなく、複数のセルおよびパラメータ、例えば、{セル１−送信電力、セル１−偏向、セル２−送信電力、セル２−偏向}のいずれかの組合せを含む。
【００８３】
さらに、複数のリソース間の相関関係は、強度によって分類することとしてもよく、関連リソースグループ、例えば、｛（レベル１：セル１−送信電力、セル１−偏向）、（レベル２：セル２−送信電力、セル２−偏向）、（レベル３：セル１、セル２）｝で示されることとしてもよい。
【００８４】
関連リソースグループは、複数のリソース間の関連性を定義し、コンフリクト調整が、それらの間に関係を持つリソースについてのオペレーションで実施され得ることとなり、調整プロセスにおいて、関連性がより強い複数の関連リソース間のコンフリクトが、複数のリソース間の関連性の強度に従って優先的に調整され得ることとなり、例えば、レベル１の関連性強度を持つ複数の関連リソース（セル１−送信電力、セル１−偏向）間のコンフリクトが優先的に調整されるものとする。
【００８５】
４）  ３）で定義されたリソースまたは関連リソースは、１つのコンフリクト期間に対応でき、または、それらのそれぞれは、１つのコンフリクト期間に対応できる。
【００８６】
５）  ESオペレーションがセル１の送信電力パラメータについて実行されているとき、調整が、ESオペレーションと、オペレーションされたセル１の送信電力パラメータの関連リソースについてのオペレーションとの間で実行される必要があり、セル１の送信電力パラメータの関連リソースは、上記関連リソースグループから知得されることができ、セル１の送信電力パラメータの前記関連リソースは、セル２の送信電力パラメータと、偏向パラメータ（セル１の偏向パラメータおよびセル２の偏向パラメータを含む）を含む。
【００８７】
６）  特に、調整がオペレーションの優先順位に従って実施される。例えば、ESオペレーションおよびCCOオペレーションの優先順位が比較され、ESオペレーションの優先順位がCCOオペレーションの優先順位よりも低い場合、セル１のESオペレーションが禁止され、CCOオペレーションが、セル２の送信電力パラメータおよび／または偏向パラメータを調整するように実行される。さらに、CCOオペレーションがコンフリクト期間を持っている場合、CCOオペレーションがセル２の送信電力パラメータおよび／または偏向パラメータを調整した後、ESオペレーションの実行がコンフリクト期間において禁止される。前記コンフリクト期間の後、ESオペレーションがセル１について再び開始され得るとともに、複数のリソースが、ESオペレーションによってオペレーションされるリソースを含んでいるとともに、該リソースの関連リソースがオペレーションされる場合、コンフリクトしないか、またはノーマル状態であり、ESオペレーションが通常に実行されることができる。
【００８８】
オペレーション属性、状態属性、コンフリクト期間属性のような属性情報は、リソースに加えられることができ、また、リソース状態属性設定機能のような、リソースについてのオペレーション機能に対応することができる。
【００８９】
以下では、上記方法の上記プロセスに対応する装置について説明する。
【００９０】
図１０は、本発明によるリソースオペレーション装置９の実施形態の概要構成図であり、リソースオペレーション装置９は、判断ユニット９１およびプロセスユニット９２を備える。本実施形態では、リソースオペレーション装置９の構成について説明する。リソースオペレーション装置９は、上記で説明された方法実施形態における方法を実施することができ、詳細はここでは繰り返さない。
【００９１】
特に、判断ユニット９１は、第１のリソースについての複数のオペレーションにおいてコンフリクトが存在するか否かを判断するように構成されており、または、第１のリソースについてのオペレーションと前記第１のリソースの関連リソースについてのオペレーションとの間にコンフリクトが存在するか否かを判断するように構成されている。
【００９２】
第１のリソースについての複数のオペレーションの実行時間が同時である場合、判断ユニット９１の判断結果は、第１のリソースについての複数のオペレーションにおいてコンフリクトが存在することを示し、または、第１のリソースについての複数のオペレーションの実行時間の間についての間隔が設定されたコンフリクト期間内であるとき、判断ユニット９１の判断結果は、第１のリソースについての複数のオペレーションにおいてコンフリクトが存在することを示し、または、第１のリソースについてのオペレーションの実行時間と前記第１のリソースの関連リソースについてのオペレーションの実行時間とが同時であるとき、判断ユニット９１の判断結果は、第１のリソースについてのオペレーションと前記第１のリソースの関連リソースについてのオペレーションとの間にコンフリクトが存在することを示し、または、第１のリソースについてのオペレーションの実行時間と前記第１のリソースの関連リソースについてのオペレーションの実行時間との間についての間隔が設定されたコンフリクト期間内であるとき、判断ユニット９１の判断結果は、第１のリソースについてのオペレーションと前記第１のリソースの関連リソースについてのオペレーションとの間にコンフリクトが存在することを示す。
【００９３】
プロセスユニット９２は、判断ユニット９１の判断結果が第１のリソースについての複数のオペレーションにおいてコンフリクトが存在することを示すとき、前記複数のオペレーションの実行におけるコンフリクトの調整を実施する、ように構成されており、または、判断ユニット９１の判断結果が第１のリソースについてのオペレーションと前記第１のリソースの関連リソースについてのオペレーションとの間にコンフリクトが存在することを示すとき、第１のリソースについてのオペレーションの実行と前記第１のリソースの関連リソースについてのオペレーションの実行とにおけるコンフリクトの調整を実施する、ように構成されている。
【００９４】
プロセスユニット９２によって実現される、前記複数のオペレーションにおけるコンフリクトの調整、または、第１のリソースについてのオペレーションの実行と前記第１のリソースの関連リソースについてのオペレーションの実行とにおけるコンフリクトの調整は、主に、上記の４つの発生可能な形式のコンフリクトの発生を回避するように、複数のオペレーションの実行順序または実行時間を調整することである。
【００９５】
本実施形態では、第１のリソースについての複数のオペレーションにおいてコンフリクトが存在するか否かを判断することによって、または、第１のリソースについてのオペレーションと前記第１のリソースの関連リソースについてのオペレーションとの間にコンフリクトが存在するか否かを判断することによって、発生可能なコンフリクトを検出することができる。さらに、本実施形態では、発生可能なコンフリクトが検出された後に、複数のオペレーションの実行についての調整、または関連リソースについてのオペレーションの実行についての調整が、同一のリソースまたは関連リソースについてのオペレーション中におけるコンフリクトの発生を回避するために実施される。
【００９６】
オプション実施形態では、判断ユニット９１が、第１リソースについての複数のオペレーションの実行時間が同時であるか否かを判断し、前記実行時間が同時である場合、コンフリクトが存在すると判断する。プロセスユニット９２は、前記複数のオペレーションにそれぞれ対応する優先順位を取得し、前記取得した優先順位に従って前記複数のオペレーションの実行を調整する。
【００９７】
リソースオペレーション装置９は、同時に複数のSON要求を受信することができ、各SON要求は、SON機能に対応する実施をするように、同一のリソース（前記第１のリソース）についてのオペレーションを指示することに使用される。第１のリソースがセルのパラメータまたは基地局のパラメータであるとき、いくつかのSON要求では、前記第１のリソースの値を増加する必要があるが、いくつかのSON要求では、前記第１のリソースの値を減少させる必要がある。明らかに、これらのSON要求が同時に実行された場合、第１のリソースが繰り返し変更されるとともに予測不能になり、ネットワーク性能の劣化が生じ得るとともに、ネットワークにおける混乱すら招き得る。したがって、これらのSON要求が同時に同一リソースのオペレーションに使用されることが検出されたとき、判断ユニット９１の判断結果は、これらのSON要求に対応する複数のオペレーション間においてコンフリクトが存在することを示し、コンフリクトの調整が実行される必要がある。
【００９８】
プロセスユニット９２によって取得された複数のオペレーションにそれぞれ対応する優先順位は、前記複数のオペレーションについて予め設定されており、例えば、ネットワーク計画段階において、第１の優先順位がESオペレーションに構成されており、第２の優先順位がCCOに構成されている。
【００９９】
プロセスユニット９２によって、調整される、複数のオペレーションの実行は、下記のいずれか１つまたは組合せを含む。前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップ。
【０１００】
前記複数のオペレーションの実行順序を調整するステップは、優先順位にしたがってオペレーションを連続して実施することとしてもよい。前記複数のオペレーションにおいて比較的に低い優先順位を持つオペレーションの実行を禁止するステップは、例えば、オペレーションA、オペレーションBおよびオペレーションCが存在するとともに、オペレーションAの優先順位が最も高く、オペレーションBの優先順位が中位であり、オペレーションCの優先順位が最も低くいと仮定した場合、オペレーションAのみが実行でき、３つのオペレーションの中で優先順位がオペレーションAよりも低いオペレーションBおよびオペレーションCの実行が禁止され、または、オペレーションAおよびオペレーションBが実行され、３つのオペレーションの中でオペレーションAおよびオペレーションBの両方よりも優先順位が低いオペレーションCの実行が禁止される。例えば、ESオペレーションが第１の優先順位（最高位）に対応し、COCオペレーションが第２の優先順位に対応し、ESオペレーションおよびCOCオペレーションが同時にセル２の偏向パラメータについて実行される必要があるケースにおいてコンフリクトが存在するとき、ESオペレーションおよびANRオペレーションの優先順位にしたがって、ESオペレーションは優先的に実行され、COCオペレーションは遅延されるかまたは拒否される。また、ESオペレーションがコンフリクト期間に設定される場合、COCオペレーションの実行時間はコンフリクト期間が終了するまで遅延されるべきである、ことに留意するべきである。
【０１０１】
本実施形態は、主に、複数のオペレーションが同時に同一のリソースについて実行されるケースにおいてコンフリクトが発生したとき、コンフリクトを回避するために、オペレーション調整方法を実行することにある。
【０１０２】
他のオプション実施形態の手法では、判断ユニット９１が、第１のリソースについての複数のオペレーションの間についての間隔が設定されたコンフリクト期間内であるか否かを判断し、イエスである場合、コンフリクトが存在すると判断する。プロセスユニット９２は、前記複数のオペレーションそれぞれに対応する優先順位にしたがって前記複数のオペレーションの実行を調整する。
【０１０３】
前記複数のオペレーションにそれぞれ対応する優先順位は予め設定されていることとしてもよく、コンフリクトの調整が実施される前に、プロセスユニット９２は、さらに、前記複数のオペレーションそれぞれに対応する優先順位を取得する。
【０１０４】
特に、プロセスユニット９２による、前記複数のオペレーションの実行を調整するプロセスは、前記複数のオペレーションの実行順序を調整するステップと、前記複数のオペレーションにおいて比較的に低い優先順位を持つオペレーションの実行を禁止するステップと、設定されたコンフリクト期間よりも長いまたは同一であるオペレーションの実行時間の間についての間隔を形成するために、前記複数のオペレーションにおける各オペレーションの実行時間を調整するステップと、を含む。本実施形態において、前記複数のオペレーションにおける各オペレーションの実行時間は、主に、設定されたコンフリクト期間よりも長いまたは同一であるオペレーションの実行時間の間について間隔を形成するように、調整される。
【０１０５】
以下では、複数のオペレーションがESオペレーションおよびCOCオペレーションであり、第１のリソースがセル２の偏向パラメータである、実施例を使用して、本実施形態を説明する。
【０１０６】
セル１は、セル２の偏向パラメータを変更するために時間t1でESオペレーションを実行し、ESオペレーションはコンフリクト期間に設定され、コンフリクト期間はT(例えば、３０分または２時間)である。セル２は、セル２の偏向パラメータを変更するために、時間t2（t2とt1との間の差はTよりも小さい）でCOCオペレーションを実行する必要がある。t2とt1との間の差はTよりも小さいので、セル２のCOCオペレーションおよびESオペレーションは相互にコンフリクトし、すなわち、異なる時間での同一のリソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。COCオペレーションの優先順位がESオペレーションの優先順位よりも高い場合、セル２は、ESオペレーションの実行に割り込みをかけるとともにCOCオペレーションを実行することができる、ことに留意するべきである。
【０１０７】
他のオプション実施形態の手法では、判断ユニット９１が、第１のリソースについてのオペレーションの実行時間と前記第１のリソースの関連リソースについてのオペレーションの実効時間とが同時あるか否かを判断し、イエスである場合、コンフリクトが存在すると判断する。プロセスユニット９２は、前記第１のリソースについてのオペレーションと前記第１のリソースの関連リソースについてのオペレーションとにそれぞれ対応する優先順位を取得する。前記第１のリソースについてのオペレーションに対応する優先順位と前記第１のリソースの関連リソースについてのオペレーションに対応する優先順位とは、予め設定されていることとしてもよい。オプションとして、プロセスユニット９２は、第１のリソースについてのオペレーションの実行と前記第１のリソースの関連リソースについてのオペレーションの実行とを前記優先順位に従って調整するように、さらに構成されているとしてもよい。
【０１０８】
特に、プロセスユニット９２によって、前記第１のリソースについてのオペレーションの実行と前記第１のリソースの関連リソースについてのオペレーションの実行とを調整するプロセスは、以下の処理のいずれか１つ以上を含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【０１０９】
本実施形態は、関連リソースに特定されている。複数のリソース間の関連性が予め定義されていることとしてもよく、例えば、リソースがセル１の偏向パラメータであるとき、セル１の偏向パラメータの関連リソースは、セル１の送信電力パラメータと、セル２（セル１の隣接セル）の偏向パラメータおよび送信電力パラメータとを含む、と定義される。
【０１１０】
他のオプション実施形態の手法では、判断ユニット９１が、第１のリソースについてのオペレーションの実行時間と前記第１のリソースの関連リソースについてのオペレーションの実効時間との間についての間隔が設定されたコンフリクト期間内にあるか否かを判断し、イエスである場合、コンフリクトが存在すると判断する。プロセスユニット９２は、第１のリソースについてのオペレーションと前記第１のリソースの関連リソースについてのオペレーションとのそれぞれに対応する優先順位にしたがって、前記第１のリソースについてのオペレーションの実行と前記第１のリソースの関連リソースについてのオペレーションの実行とを調整する。
【０１１１】
前記第１のリソースについてのオペレーションと前記第１のリソースの関連リソースについてのオペレーションとのそれぞれに対応する優先順位は、予め設定されていることとしてもよく、さらに、前記オペレーションの調整が実施される前に、前記第１のリソースについてのオペレーションと前記第１のリソースの関連リソースについてのオペレーションとのそれぞれに対応する優先順位が取得する、ようにプロセスユニット９２が、さらに構成されていることとしてもよい。
【０１１２】
特に、プロセスユニット９２によって、前記第１のリソースについてのオペレーションの実行と前記第１のリソースの関連リソースについてのオペレーションの実行とを調整するステップは、以下の処理のいずれか１つ以上を含む。前記第１のリソースについてのオペレーションと前記第１のリソースの関連リソースについてのオペレーションとの実行順序を調整するステップと、前記第１のリソースについてのオペレーションと前記第１のリソースの関連リソースについてのオペレーションとにおける比較的に低い優先順位を持つオペレーションの実行を禁止するステップと、設定されたコンフリクト期間よりも長いまたは同一であるオペレーションの実行時間の間についての間隔を形成するために、前記第１のリソースについてのオペレーションと前記第１のリソースの関連リソースについてのオペレーションとにおける各オペレーションの実行時間を調整するステップ。
【０１１３】
以下では、複数のオペレーションがESオペレーションおよびCOCオペレーションであり、第１のリソースがセル１の送信電力パラメータであり、第１のリソースの関連リソースがセル２の偏向パラメータである、実施例を使用して、本実施形態を説明する。
【０１１４】
セル１は、セル１の送信電力パラメータを変更するために時間t1でESオペレーションを実行し、ESオペレーションはコンフリクト期間に設定され、コンフリクト期間はT(例えば、３０分または2時間)である。セル２は、セル２の偏向パラメータを変更するために、時間t2（t2とt1との間の差はTよりも小さい）でCOCオペレーションを実行する必要がある。送信電力パラメータと偏向パラメータとは関連リソースであるとともに、t2とt1との間の差はTよりも小さいので、セル２のCOCオペレーションとセル１のESオペレーションとは相互にコンフリクトし、すなわち、異なる時間での関連リソースについての複数のオペレーションが相互にコンフリクトし、このケースでは、セル２が時間t2でCOCオペレーションを実行できず、すなわち、セル２は、時間(t1+T)においてCOCオペレーションを実行することを禁止される。しかしながら、COCオペレーションの優先順位がESオペレーションの優先順位よりも高い場合、セル２は、ESオペレーションの実行に割り込みをかけるとともにCOCオペレーションを実行することができる。
【０１１５】
当業者であれば、上記実施形態における方法についてのプロセスの全部または一部が関連ハードウェアに指示を出すコンピュータプログラムによって実施され得ることを理解するであろう。前記プログラムは、コンピュータ読み取り可能記憶媒体に記録され得る。前記プログラムが実行されるとき、上記実施形態における上記方法のプロセスが実行される。前記記憶媒体は、磁気ディスク、リードオンリーメモリ（ＲＯＭ）またはランダムアクセスメモリ（ＲＡＭ）とすることができる。
【０１１６】
上記の説明は、本発明の単なる例についての実施形態であり、本発明の権利範囲を限定するものではない。上記実施形態についてのプロセスの全部または一部が実施され得るとともに、本発明の特許請求の範囲に従って作成された如何なる等価的変形も本発明の範囲内にあることが当業者は理解することができる。
【符号の説明】
【０１１７】
９  リソースオペレーション装置
１１,１２,１３,２１,２２,２３,３１,３２  パラメータ
９１  判断ユニット
９２  プロセスユニット
Ａ,Ｂ,Ｃ  オペレーション
【手続補正２】
【補正対象書類名】特許請求の範囲
【補正対象項目名】全文
【補正方法】変更
【補正の内容】
【特許請求の範囲】
【請求項１】
リソースオペレーション方法であって、
２つのオペレーションにおいてコンフリクトが存在する場合、前記２つのオペレーションの実行におけるコンフリクトの調整を実施するステップを含み、
前記２つのオペレーションのうちの一方が第１のリソースについての第１のオペレーションであるとともに、前記２つのオペレーションのうちの他方が前記第１のリソースについての第２のオペレーションであるかまたは前記第１のリソースの関連リソースについての第３のオペレーションであり、
前記第１のリソースは、セルのパラメータ、基地局のパラメータ、セル、および基地局のうちの１つ以上を含み、
前記第１のリソースの関連リソースは、前記第１のリソースと隣接しているリソース、前記第１のリソースと相互に影響され合うリソース、および前記第１のリソースとの関係が設定されているリソースのうちの１つ以上を含む、方法。
【請求項２】
前記２つのオペレーションにおいてコンフリクトが存在するか否かを判断するステップをさらに含む、請求項１に記載の方法。
【請求項３】
前記２つの複数のオペレーションにおいて存在している前記コンフリクトは、
前記２つのオペレーションの実行時間の間についての間隔が設定されたコンフリクト期間内にある状態、または、前記２つのオペレーションの実行時間が同一である状態、を含む、請求項１または２に記載の方法。
【請求項４】
前記２つのオペレーションの実行におけるコンフリクトの調整を実施するステップは、
設定されたコンフリクト期間よりも長いまたは同一であるオペレーションの実行時間の間についての間隔を形成するために、前記２つのオペレーションにおける各オペレーションの実行時間を調整するステップと、
前記２つのオペレーションにおいて比較的に低い優先順位を持つオペレーションの実行を禁止するステップと、
前記２つのオペレーションの実行順序を調整するステップとのうちのいずれか１つまたは組合せを含む、請求項３に記載の方法。
【請求項５】
前記２つのオペレーションの実行におけるコンフリクトの調整を実施するステップの前に、
前記２つのオペレーションにそれぞれ対応する前記優先順位を予め設定するステップ、または、前記２つのオペレーションにそれぞれ対応する前記優先順位を取得するステップをさらに含む、請求項４に記載の方法。
【請求項６】
前記２つのオペレーションのいずれかは、自己組織ネットワーク（SON）オペレーション、または、手動オペレーションである、請求項１から５のいずれか一項に記載の方法。
【請求項７】
前記設定されたコンフリクト期間は、
より小さな値、より大きな値、または、前記第１のリソースについてのオペレーションに指定されたコンフリクト期間と前記第１のリソースの関連リソースについてのオペレーションに指定されたコンフリクト期間との和と、
前記第１のリソースについてのオペレーションに指定されたコンフリクト期間と、
前記第１のリソースの関連リソースについてのオペレーションに指定されたコンフリクト期間と、
均一に設定されたコンフリクト期間と
のうちのいずれか１つを含む、請求項３から６のいずれか一項に記載の方法。
【請求項８】
前記第１のリソースおよび前記第１のリソースの関連リソースは、それぞれ、アンテナの偏向、前記アンテナの電力、および前記アンテナの方位のうちのいずれか２つである、
請求項１から７のいずれか一項に記載の方法。
【請求項９】
前記第１のリソースがセル個々のオフセット（CIO）であり、前記第１のリソースの関連リソースは、セル負荷である、請求項１から７のいずれか一項に記載の方法。
【請求項１０】
前記第１のリソースがセルであり、前記第１のリソースの関連リソースは、前記セルの隣接セルであり、
または、前記第１のリソースが基地局であり、前記第１のリソースの関連リソースは、前記基地局の隣接基地局であり、
または、前記第１のリソースがセルのパラメータであり、前記第１のリソースの関連リソースは、前記セルの隣接セルのパラメータであり、
または、前記第１のリソースが基地局のパラメータであり、前記第１のリソースの関連リソースは、前記基地局の隣接基地局のパラメータである、請求項１から７のいずれか一項に記載の方法。
【請求項１１】
前記第１のリソースおよび前記第１のリソースの関連リソースのいずれか一方が属性情報を有し、
前記属性情報は、
前記第１のリソースを設定または変更するオペレータの情報の記録に使用される、オペレータ属性であって、前記情報は、オペレーション名、タイプ、およびオペレーション優先順位の情報の少なくとも一部を含む、オペレータ属性と、
前記第１のリソースのオペレーション状態を示すことに使用される、状態属性であって、前記オペレーション状態は、変更された状態、コンフリクト状態またはノーマル状態を含む、状態属性と、
関連リソースまたは前記リソースの関連リソースリストについての情報の記録に使用される、関連リソースリスト属性と、
前記リソースのコンフリクトの実効時間期間を示すことに使用される、コンフリクト期間属性と、
前記リソースについてのオペレーションによってオペレートされる他のリソースの記録に使用される、オペレーションリソースリスト属性と、のうちのいずれか１つまたは組合せを含む、請求項１から１０のいずれか一項に記載の方法。
【請求項１２】
前記第１のリソースおよび前記第１のリソースの関連リソースのいずれか一方が、
前記リソースが２つのオペレーションにおいてのコンフリクトを発生させるオブジェクトになるとき、前記２つのオペレーションについて調整制御を実施することに使用される、オペレーション調停機能と、
前記リソースの状態属性を設定することに使用される、リソース状態属性設定機能と、のうちの１つ以上のオペレーション機能を含む、請求項１１に記載の方法。
【請求項１３】
リソースオペレーション装置であって、
２つのオペレーションにおいてコンフリクトが存在するか否かを判断する、ように構成されている判断ユニットであって、前記２つのオペレーションのうちの一方が第１のリソースについての第１のオペレーションであるとともに、前記２つのオペレーションのうちの他方が前記第１のリソースについての第２のオペレーションであるかまたは前記第１のリソースの関連リソースについての第３のオペレーションである、判断ユニットと、
前記判断ユニットの判断結果が前記２つのオペレーションにおいてコンフリクトが存在することを示すとき、前記２つのオペレーションの実行におけるコンフリクトの調整を実施する、ように構成されている、プロセスユニットと
を備え、
前記第１のリソースは、セルのパラメータ、基地局のパラメータ、セル、および基地局のうちの１つ以上を含み、
前記第１のリソースの関連リソースは、前記第１のリソースと隣接しているリソース、前記第１のリソースと相互に影響され合うリソース、および前記第１のリソースとの関係が設定されているリソースのうちの１つ以上を含む、装置。
【請求項１４】
前記判断ユニットは、
２つのオペレーションの実行時間の間についての間隔が設定されたコンフリクト期間内にあるとき、前記２つのオペレーションにおいてコンフリクトが存在すると判断する、
または、前記２つのオペレーションの実行時間が同一であるとき、前記２つのオペレーションとの間にコンフリクトが存在すると判断する、
ように、さらに構成されている、請求項１３に記載の装置。
【請求項１５】
前記プロセスユニットは、
設定されたコンフリクト期間よりも長いまたは同一であるオペレーションの実行時間の間についての間隔を形成するために、前記２つのオペレーションにおける各オペレーションの実行時間を調整する処理と、
前記２つのオペレーションにおいて比較的に低い優先順位を持つオペレーションの実行を禁止する処理と、
前記２つのオペレーションの実行順序を調整する処理と、のうちのいずれか１つまたは組合せを実行する、ようにさらに構成されている、請求項１４に記載の装置。
【請求項１６】
前記プロセスユニットは、前記２つオペレーションの実行におけるコンフリクトの調整を実施する前に、前記２つオペレーションにそれぞれ対応する前記優先順位を予め設定する、または、前記２つオペレーションにそれぞれ対応する前記優先順位を取得する、ようにさらに構成されている、請求項１５に記載の装置。
【請求項１７】
前記２つのオペレーションのいずれかは、自己組織ネットワーク（SON）オペレーション、または、手動オペレーションである、請求項１３から１６のいずれか一項に記載の装置。
【請求項１８】
前記設定されたコンフリクト期間は、
より小さな値、より大きな値、または、前記第１のリソースについてのオペレーションに指定されたコンフリクト期間と前記第１のリソースの関連リソースについてのオペレーションに指定されたコンフリクト期間との和と、
前記第１のリソースについてのオペレーションに指定されたコンフリクト期間と、
前記第１のリソースの関連リソースについてのオペレーションに指定されたコンフリクト期間と、
均一に設定されたコンフリクト期間と
のうちのいずれか１つを含む、請求項１４から１７のいずれか一項に記載の装置。
【請求項１９】
前記第１のリソースおよび前記第１のリソースの関連リソースは、それぞれ、アンテナの偏向、前記アンテナの電力および前記アンテナの方位のうちのいずれか２つである、請求項１３から１８のいずれか一項に記載の装置。
【請求項２０】
前記第１のリソースがセル個々のオフセット（CIO）であり、前記第１のリソースの関連リソースは、セル負荷である、請求項１３から１８のいずれか一項に記載の装置。
【請求項２１】
前記第１のリソースがセルであり、前記第１のリソースの関連リソースは、前記セルの隣接セルであり、
または、前記第１のリソースが基地局であり、前記第１のリソースの関連リソースは、前記基地局の隣接基地局であり、
または、前記第１のリソースがセルのパラメータであり、前記第１のリソースの関連リソースは、前記セルの隣接セルのパラメータであり、
または、前記第１のリソースが基地局のパラメータであり、前記第１のリソースの関連リソースは、前記基地局の隣接基地局のパラメータである、請求項１３から１８のいずれか一項に記載の装置。
【請求項２２】
前記第１のリソースおよび前記第１のリソースの関連リソースのいずれか一方が属性情報を有し、
前記属性情報は、
前記リソースを設定または変更するオペレータの情報の記録に使用される、オペレータ属性であって、前記情報は、オペレーション名、タイプ、およびオペレーション優先順位の情報の少なくとも一部を含む、オペレータ属性と、
前記リソースのオペレーション状態を示すことに使用される、状態属性であって、前記オペレーション状態は、変更された状態、コンフリクト状態またはノーマル状態を含む、状態属性と、
関連リソースまたは前記リソースの関連リソースリストについての情報の記録に使用される、関連リソースリスト属性と、
前記リソースのコンフリクトの実効時間期間を示すことに使用される、コンフリクト期間属性と、
前記リソースについてのオペレーションによってオペレートされる他のリソースの記録に使用される、オペレーションリソースリスト属性と、のうちのいずれか１つまたは組合せを含む、請求項１３から２１のいずれか一項に記載の装置。
【請求項２３】
前記第１のリソースおよび前記第１のリソースの関連リソースのいずれか一方は、
前記リソースが２つのオペレーションにおいてのコンフリクトを発生させるオブジェクトになるとき、前記２つのオペレーションについて調整制御を実施することに使用される、オペレーション調停機能と、
前記リソースの状態属性を設定することに使用される、リソース状態属性設定機能とのうちの１つ以上のオペレーション機能とを含む、請求項２２に記載の装置。
【国際調査報告】
2015512593.tif 000013
2015512593.tif 000014
2015512593.tif 000015
2015512593.tif 000016